(57)【要約】【課題】効果的な順位づけをできるようにすること。【解決手段】本願に係る情報処理装置は、取得部と、変更部と、を備える。情報処理装置が備える取得部は、順位づけされた複数のコンテンツの情報を取得する。また、情報処理装置が備える変更部は、複数のコンテンツのうち、類似するコンテンツである類似コンテンツ群と非類似のコンテンツの順位を変更する。これにより、情報処理装置は、効果的な順位づけを行うことが可能となる。【選択図】図１
2019008344.tif 000002
【特許請求の範囲】
【請求項１】
順位づけされた複数のコンテンツの情報を取得する取得部と、
前記複数のコンテンツのうち、類似するコンテンツである類似コンテンツ群と非類似のコンテンツの順位を変更する変更部と、を備える、
ことを特徴とする情報処理装置。
【請求項２】
前記変更部は、前記複数のコンテンツの中の所定順位までのコンテンツの中から、類似コンテンツ群と非類似のコンテンツを選択し、選択したコンテンツの順位を変更する、
ことを特徴とする請求項１に記載の情報処理装置。
【請求項３】
前記変更部は、前記複数のコンテンツの中の前記所定順位までのコンテンツの中に、互いに類似するコンテンツが所定数以上含まれる場合に、前記所定順位までのコンテンツの中から、前記互いに類似するコンテンツとは非類似のコンテンツを他の順位に回すコンテンツとして選択する、
ことを特徴とする請求項２に記載の情報処理装置。
【請求項４】
前記変更部は、選択したコンテンツが前記所定順位より後の順位となるよう前記複数のコンテンツの順位を変更する、
ことを特徴とする請求項２又は３に記載の情報処理装置。
【請求項５】
前記変更部は、選択したコンテンツが前記所定順位の一つ後の順位となるよう前記複数のコンテンツの順位を変更する、
ことを特徴とする請求項４に記載の情報処理装置。
【請求項６】
前記変更部は、前記所定順位までのコンテンツの中からコンテンツを複数選択し、選択したコンテンツが前記所定順位の直後に元の順位が高い順に並ぶよう前記複数のコンテンツの順位を変更する、
ことを特徴とする請求項４又は５に記載の情報処理装置。
【請求項７】
前記変更部は、コンテンツの出力態様を基準に、他の順位に回すコンテンツを選択する、
ことを特徴とする請求項１〜６のいずれか１項に記載の情報処理装置。
【請求項８】
前記変更部は、コンテンツが画像を含むか否かを基準に、他の順位に回すコンテンツを選択する、
ことを特徴とする請求項７に記載の情報処理装置。
【請求項９】
前記複数のコンテンツは、商品或いはサービスに関するコンテンツであり、
前記変更部は、コンテンツが示す商品或いはサービスの情報を基準に、他の順位に回すコンテンツを選択する、
ことを特徴とする請求項１〜６のいずれか１項に記載の情報処理装置。
【請求項１０】
前記変更部は、商品或いはサービスのカテゴリー、価格、識別コード、ブランド、若しくは提供ストアを基準に、他の順位に回すコンテンツを選択する、
ことを特徴とする請求項９に記載の情報処理装置。
【請求項１１】
前記変更部は、前記複数のコンテンツの中の所定順位までのコンテンツの中に、商品或いはサービスのカテゴリーが同じコンテンツが所定数以上含まれる場合には、前記所定順位までのコンテンツの中から、該カテゴリーとは異なるカテゴリーのコンテンツを他の順位に回すコンテンツとして選択する、
ことを特徴とする請求項１０に記載の情報処理装置。
【請求項１２】
前記変更部は、前記複数のコンテンツの中の所定順位までのコンテンツが示す商品或いはサービスの価格の中央値を判別し、前記所定順位までのコンテンツの中から、前記中央値を基準に定まる価格範囲を外れたコンテンツを他の順位に回すコンテンツとして選択する、
ことを特徴とする請求項１０又は１１に記載の情報処理装置。
【請求項１３】
前記変更部は、前記複数のコンテンツの中の所定順位までのコンテンツの中に、商品或いはサービスの識別コードが同じコンテンツが所定数以上含まれる場合には、前記所定順位までのコンテンツの中から、該識別コードとは異なる識別コードのコンテンツを他の順位に回すコンテンツとして選択する、
ことを特徴とする請求項１０〜１２のいずれか１項に記載の情報処理装置。
【請求項１４】
前記複数のコンテンツは、商品或いはサービスに関するコンテンツであり、
前記変更部は、
前記複数のコンテンツの中の所定順位までのコンテンツの中に、商品或いはサービスのカテゴリーが同じコンテンツが所定数以上含まれる場合には、前記所定順位までのコンテンツの中から、該カテゴリーとは異なるカテゴリーのコンテンツを選択し、選択したコンテンツの順位を他の順位に回すことにより前記複数のコンテンツの順位を変更し、
さらに、順位が変更された複数のコンテンツの中の所定順位までのコンテンツが示す商品或いはサービスの価格の中央値を判別し、前記所定順位までのコンテンツの中から、前記中央値を基準に定まる価格範囲を外れたコンテンツを選択し、選択したコンテンツの順位を他の順位に回すことにより前記複数のコンテンツの順位を変更し、
さらに、順位が変更された複数のコンテンツの中の前記所定順位までのコンテンツの中に、商品或いはサービスの識別コードが同じコンテンツが所定数以上含まれる場合には、前記所定順位までのコンテンツの中から、該識別コードとは異なる識別コードのコンテンツを選択し、選択したコンテンツの順位を他の順位に回すことにより前記複数のコンテンツの順位を変更する、
ことを特徴とする請求項１〜１３のいずれか１項に記載の情報処理装置。
【請求項１５】
前記複数のコンテンツは、商品或いはサービスに関するコンテンツであり、
前記変更部は、
前記複数のコンテンツの中の所定順位までのコンテンツの中に、コンテンツタイトル中の商品或いはサービスの名称が同じコンテンツが所定数以上含まれる場合には、前記所定順位までのコンテンツの中から、該名称とは異なる名称のコンテンツを他の順位に回すコンテンツとして選択する、
ことを特徴とする請求項１〜１４のいずれか１項に記載の情報処理装置。
【請求項１６】
情報処理装置が実行する情報処理方法であって、
順位づけされた複数のコンテンツの情報を取得する取得工程と、
前記複数のコンテンツのうち、類似するコンテンツである類似コンテンツ群と非類似のコンテンツの順位を変更する変更工程と、を含む、
ことを特徴とする情報処理方法。
【請求項１７】
順位づけされた複数のコンテンツの情報を取得する取得手順と、
前記複数のコンテンツのうち、類似するコンテンツである類似コンテンツ群と非類似のコンテンツの順位を変更する変更手順と、
をコンピュータに実行させるための情報処理プログラム。
【発明の詳細な説明】
【技術分野】
【０００１】
本発明は、情報処理装置、情報処理方法、及び情報処理プログラムに関する。
【背景技術】
【０００２】
商品の検索サイト等、商品等に関するコンテンツを複数表示するサイトが知られている。このようなサイトでは、複数のコンテンツが順位づけされている場合がある。
【先行技術文献】
【特許文献】
【０００３】
【特許文献１】特開２０１２−２０３８２１号公報
【発明の概要】
【発明が解決しようとする課題】
【０００４】
コンテンツの順位づけは様々な要素に基づいて行われる。しかしながら、順位が必ずしもユーザにとって効果的なものでない場合がある。
【０００５】
本願は、上記に鑑みてなされたものであって、効果的な順位づけをできるようにすることを目的とする。
【課題を解決するための手段】
【０００６】
本願に係る情報処理装置は、順位づけされた複数のコンテンツの情報を取得する取得部と、複数のコンテンツのうち、類似するコンテンツである類似コンテンツ群と非類似のコンテンツの順位を変更する変更部と、を備える。
【発明の効果】
【０００７】
実施形態の一態様によれば、効果的な順位づけができる。
【図面の簡単な説明】
【０００８】
【図１】図１は、実施形態に係る情報処理サーバの動作の概要を示す図である。
【図２】図２は、コンテンツ提供サーバが情報処理サーバに送信するコンテンツの一例を示す図である。
【図３】図３は、図２に示す複数のコンテンツの順位が変更される様子を示す図である。
【図４】図４は、実施形態に係る配信システムの構成例を示す図である。
【図５】図５は、実施形態に係るコンテンツ提供サーバの構成例を示す図である。
【図６】図６は、実施形態に係るコンテンツデータベースに格納された情報の一例を示す図である。
【図７】図７は、実施形態に係る情報処理サーバの構成例を示す図である。
【図８】図８は、実施形態に係る端末装置の構成例を示す図である。
【図９】図９は、端末装置に表示されるページの一例を示す図である。
【図１０】図１０は、ページが端末装置に表示された様子を示す図である。
【図１１】図１１は、端末装置がスクロール操作された様子を示す図である。
【図１２】図１２は、送信処理の一例を示すフローチャートである。
【図１３】図１３は、コンテンツ提供サーバ、情報処理サーバ、或いは端末装置の機能を実現するコンピュータの一例を示すハードウェア構成図である。
【発明を実施するための形態】
【０００９】
以下に、本願にかかる情報処理装置、情報処理方法、及び情報処理プログラムを実施するための形態（以下、「実施形態」と記載する。）について図面を参照しつつ詳細に説明する。なお、この実施形態により本願にかかる情報処理装置、情報処理方法、及び情報処理プログラムが限定されるものではない。また、以下の各実施形態において同一の部位には同一の符号を付し、重複する説明は省略される。
【００１０】
〔１．情報処理装置の動作〕
最初に、本実施形態の情報処理装置の一例である情報処理サーバ３０を例に、情報処理装置の動作を説明する。
【００１１】
情報処理サーバ３０は、クライアント端末に対して各種サービスを提供するサーバ用ホストコンピュータである。例えば、情報処理サーバ３０は、検索サイトとして機能する検索サーバである。図１は、実施形態に係る情報処理サーバ３０の動作の概要を示す図である。情報処理サーバ３０は、ネットワークを介してコンテンツ提供サーバ２０及び端末装置１００と接続されている。図１の例では、コンテンツ提供サーバ２０及び端末装置１００がそれぞれ１つしか示されていないが、情報処理サーバ３０に接続される端末装置及びサーバは、それぞれ複数であってもよい。
【００１２】
端末装置１００は、例えば、スマートデバイス（スマートフォン、或いはタブレット）、携帯電話、パーソナルコンピュータ等のユーザ端末である。図１の例では、端末装置１００は、スマートデバイスとなっているが、端末装置１００はスマートデバイスに限定されない。端末装置１００は、ネットワークを介して情報処理サーバ３０に対して情報の送信を要求する。例えば、端末装置１００は、情報処理サーバ３０に対して検索クエリを送信することで、情報処理サーバ３０に対して検索結果の送信を要求する。
【００１３】
コンテンツ提供サーバ２０は、クライアント端末に対して各種サービスを提供するサーバ用ホストコンピュータである。例えば、コンテンツ提供サーバ２０は、ショッピングサイト（例えば、ＥＣ（Electronic  Commerce）サイト）として機能するショッピングサーバである。コンテンツ提供サーバ２０は、端末装置１００に対して各種コンテンツを送信する。例えば、コンテンツ提供サーバ２０がショッピングサーバなのであれば、コンテンツ提供サーバ２０は、端末装置１００に対して商品・サービスに関するコンテンツ（商品紹介のための画像、テキスト）を送信する。また、コンテンツ提供サーバ２０は、情報処理サーバ３０からの要求に応じて、情報処理サーバ３０にコンテンツを送信する。例えば、コンテンツ提供サーバ２０は、情報処理サーバ３０から検索クエリが送信されると、検索クエリに対応するコンテンツを情報処理サーバ３０に送信する。コンテンツ提供サーバ２０がショッピングサーバなのであれば、コンテンツ提供サーバ２０が送信するコンテンツは、ショッピングサイトが提供している商品或いはサービスの情報であってもよい。
【００１４】
図２は、コンテンツ提供サーバ２０が情報処理サーバ３０に送信するコンテンツの一例を示す図である。図２の例では、コンテンツ提供サーバ２０は、情報処理サーバ３０に複数のコンテンツを送信している。図２に示すコンテンツＣ１〜Ｃ１３それぞれが、１つのコンテンツである。これらコンテンツは、商品或いはサービスに関するコンテンツ（情報）であってもよい。例えば、コンテンツは、コンテンツ提供サーバ２０が配信するショッピングサイト内で提供される商品或いはサービスの販売用コンテンツであってもよい。このとき、販売用コンテンツは、商品紹介用の画像（静止画のみならず動画を含む。）であってもよいし、商品紹介用のテキスト（例えば、商品名、価格、商品のカテゴリー、ブランド、識別コード等）であってもよい。図２の例では、画像とテキストを組み合わせたものが、１つのコンテンツとなっている。なお、コンテンツはテキスト情報のみで構成されていてもよいし、画像情報のみで構成されていてもよい。コンテンツ提供サーバ２０が情報処理サーバ３０に送信するコンテンツの数は１３個に限定されない。コンテンツの数は１３個より多くてもよいし少なくてもよい。また、コンテンツ提供サーバ２０は複数のコンテンツを一度に情報処理サーバ３０に送信してもよいし、分割して情報処理サーバ３０に送信してもよい。
【００１５】
コンテンツＣ１、Ｃ３〜Ｃ５、Ｃ８、Ｃ１１〜Ｃ１３は、それぞれ異なるストア（例えば、オンラインストア）で販売されている同じ商品の販売用コンテンツである。例えば、コンテンツＣ１、Ｃ３〜Ｃ５、Ｃ８、Ｃ１１〜Ｃ１３は、識別コードが１２３４５の衣類（シャツ）の販売用コンテンツである。識別コードは、ＪＡＮ（Japanese  Article  Number）コード、ＥＡＮ（European  Article  Number）コード、ＵＰＣ（Universal  Product  Code）、ＩＴＦ(Interleaved  Two  of  Five)コード等の規格化されたコードであってもよいし、ショッピングサイトが独自に定めたコードであってもよい。これらコンテンツが示す商品の価格はそれぞれ２６００円、７５００円、２３００円、２３５０円、２７００円、４６００円、２８３０円、２９００円である。なお、コンテンツＣ１１、Ｃ３が示す商品は、それぞれ、２点セット、３点セットの商品であり、他の同一商品より高い価格（約２倍〜３倍の価格）となっている。
【００１６】
また、コンテンツＣ２は、識別コードが２３４５６の衣類収納（ハンガー）の販売用コンテンツである。コンテンツＣ２が示す商品の価格は１０００円である。また、コンテンツＣ６は、識別コードが３１２４５の衣類（Ｔシャツ）の販売用コンテンツである。コンテンツＣ６が示す商品の価格は５１０円である。また、コンテンツＣ７は、識別コードが４５６７８の衣類（ワイシャツ及びネクタイ）の販売用コンテンツである。コンテンツＣ７が示す商品の価格は３９８０円である。また、コンテンツＣ９は、識別コードが５６７８９の衣類（コート）の販売用コンテンツである。コンテンツＣ９が示す商品の価格は１９８００円である。また、コンテンツＣ１０は、識別コードが１２３４５の衣類（シャツ）及び識別コードが１２３５０の衣類（ズボン）の販売用コンテンツである。識別コードが１２３４５の衣類（シャツ）はコンテンツＣ１、Ｃ３〜Ｃ５、Ｃ８、Ｃ１１〜Ｃ１３が示す商品と同じである。コンテンツＣ１０が示す商品の価格は４１００円である。
【００１７】
コンテンツ提供サーバ２０が送信する複数のコンテンツそれぞれには、コンテンツが示す商品或いはサービスの価格、識別コード等の情報が関連付けられている。また、複数のコンテンツそれぞれには、コンテンツが示す商品或いはサービスのカテゴリーの情報が関連付けられている。図２の例であれば、コンテンツＣ１、Ｃ３〜Ｃ１３が示す商品のカテゴリーは“衣類”であり、コンテンツＣ２が示す商品のカテゴリーは“衣類収納”である。カテゴリーの分類は、サイト独自のものであってもよいし、情報処理サーバ３０の開発者が独自に決めたものであってもよい。なお、コンテンツに関連付けられる情報（以下、付加情報という。）は、カテゴリー、価格、及び識別コードの情報に限定されない。付加情報には、商品或いはサービスを提供するストア（以下、提供ストアという。）、及び商品或いはサービスのブランド等の情報が含まれていてもよい。なお、ストアにはオンラインストアも含まれる。付加情報はコンテンツの情報に含まれていてもよい。
【００１８】
コンテンツ提供サーバ２０は、複数のコンテンツを、予め設定された基準（第１の基準）に従って順位づけ（ランキング）する。例えば、コンテンツ提供サーバ２０は、複数のコンテンツを商品の売れ筋の順に順位付けする。このとき、コンテンツ提供サーバ２０は、ストアの販売履歴に基づいて商品の販売数を判別し、販売数の多い順にコンテンツを順位付けしてもよい。また、コンテンツ提供サーバ２０は、ユーザの好みにあうと思われる順にコンテンツを順位付けしてもよい。例えば、コンテンツ提供サーバ２０は、過去、複数の検索結果ページにおいて多数のユーザによるコンテンツの選択履歴（例えば、クリックされた履歴）を保持する。そして、コンテンツ提供サーバ２０は、コンテンツの選択回数が多い順にコンテンツを順位づけする。また、コンテンツ提供サーバ２０が情報処理サーバ３０からユーザの情報（例えば、デモグラフィック情報やサイコグラフィック情報等の属性情報）を取得しているのであれば、コンテンツ提供サーバ２０は、ユーザ情報に基づいて、複数のコンテンツそれぞれについて、コンテンツが示す商品とユーザの嗜好とのマッチングの度合い（以下、マッチ度という。）を数値化する。そして、コンテンツ提供サーバ２０は、マッチ度が高い順に複数のコンテンツを順位付けしてもよい。また、複数のコンテンツが広告コンテンツなのであれば、コンテンツ提供サーバ２０は、広告料が高い順に複数のコンテンツを順位付けしてもよい。なお、コンテンツ提供サーバ２０は、複数の要素を組み合わせてコンテンツを順位付けしてもよい。例えば、コンテンツ提供サーバ２０は、複数のコンテンツそれぞれについて、商品の販売数、コンテンツの選択回数、ユーザの嗜好とのマッチ度等を重み付け加算して数値を算出する。そして、コンテンツ提供サーバ２０は、数値が高い順にコンテンツを順位付けしてもよい。なお、第１の基準は上記に限られず様々な基準を採用可能である。コンテンツ提供サーバ２０は、複数のコンテンツをコンテンツの順位の情報とともに情報処理サーバ３０に送信する。図２の例であれば、コンテンツＣ１〜Ｃ１３の上部に付された１、２、３等の数字がコンテンツそれぞれの順位である。
【００１９】
情報処理サーバ３０は、コンテンツ提供サーバ２０からコンテンツを受信すると、端末装置１００に送信するページＰを生成する。例えば、情報処理サーバ３０は、コンテンツ提供サーバ２０から受信した複数のコンテンツを検索結果の一部とする検索結果ページを生成する。図１の例では、情報処理サーバ３０は、ページＰとして、検索結果が縦方向にリストされた検索結果ページを生成している。図１に示すページＰは、検索結果の表示領域の１つが、リスト方向（図１の例の場合、縦方向）に対して垂直（図１の例の場合、横方向）にスクロール可能となっている（以下、この領域をスクロール領域Ａという）。情報処理サーバ３０は、スクロール領域Ａに、コンテンツ提供サーバ２０から受信した複数のコンテンツを表示する。図１の例では、情報処理サーバ３０は、スクロール領域Ａのスクロール方向（図１の例の場合、横方向）に沿って一列に複数のコンテンツを表示している。
【００２０】
なお、情報処理サーバ３０は、スクロール領域Ａにコンテンツ提供サーバ２０から受信した全てのコンテンツを表示するのではなく、受信した複数のコンテンツの中から予め設定された数（以下、設定数という。）のコンテンツを選択して表示する。情報処理サーバ３０がスクロール領域Ａに表示するコンテンツの数（設定数）は、例えば、１０個である。勿論、設定数は１０個より多くてもよいし少なくてもよい。なお、本実施形態の場合、ページＰの初期表示状態で、画面に表示されるコンテンツの数は設定数よりさらに少ない。例えば、図１の例の場合、ページＰの初期表示状態で画面に表示されるコンテンツの数（以下、初期表示数という。）は、１０個より少ない５個である。勿論、初期表示数は５個より多くてもよいし少なくてもよい。なお、図１の例の場合、５番目のコンテンツは一部（およそ半分）が隠れた状態となっている。６番目以降のコンテンツは画面の外に完全に隠れた状態となっている。
【００２１】
図２に示すように、コンテンツ提供サーバ２０が送信する複数のコンテンツそれぞれには順位が付されている（以下、図２に示す順位状態を状態Ｄ１という）。情報処理サーバ３０は、コンテンツ提供サーバ２０が付した順位順に複数のコンテンツをページＰに表示するのではなく、複数のコンテンツの順位を予め設定された基準（第２の基準）で変更してページＰに表示する。具体的には、情報処理サーバ３０は、第２の基準に基づいて複数のコンテンツの中からコンテンツを選択し、選択したコンテンツを他の順位に回すことにより複数のコンテンツの順位を変更する。このとき、情報処理サーバ３０は、コンテンツが示す商品或いはサービスに関する情報を基準に、他の順位に回すコンテンツを選択してもよい。例えば、情報処理サーバ３０は、商品或いはサービスのカテゴリー、価格、識別コード、ブランド、提供ストア等を考慮要素とした基準に基づいて他の順位に回すコンテンツを選択してもよい。このとき、情報処理サーバ３０は、複数のコンテンツの中にある複数の類似コンテンツ（類似コンテンツ群）と非類似のコンテンツ（例えば、他の多数のコンテンツから外れたコンテンツ）を複数のコンテンツの中から選択し、選択したコンテンツを他の順位に回してもよい。類似コンテンツ群は、互いに類似するコンテンツで構成されていてもよいし、基準となるコンテンツと類似するコンテンツで構成されていてもよい。また、類似コンテンツ群は、複数のコンテンツより求まる基準となる数値範囲のコンテンツで構成されていてもよい。あるコンテンツが類似コンテンツ群に含まれるか否かの基準は装置設計者等が任意に定めることができる。なお、情報処理サーバ３０は、複数のコンテンツの中に、互いに類似するコンテンツが所定数以上含まれる場合に、その所定数以上のコンテンツを類似コンテンツ（類似コンテンツ群）、その他のコンテンツ（類似コンテンツ群に含まれないコンテンツ）を非類似コンテンツとして判別してもよい。「類似」には「同じ」も含まれる。
【００２２】
また、コンテンツ提供サーバ２０は、複数のコンテンツの中の所定順位（以下、設定順位という。）までのコンテンツの中から他の順位に回すコンテンツを選択してもよい。設定順位は、上述の設定数に基づき定められてもよい。例えば、設定数が１０個なのであれば、設定順位は１０位であってもよい。図２の例の場合、破線の枠内のコンテンツＣ１〜Ｃ１０が設定順位内のコンテンツである。このとき、情報処理サーバ３０は、複数のコンテンツの中の所定順位までのコンテンツの中に、互いに類似するコンテンツが所定数以上含まれる場合に、その所定数以上のコンテンツを類似コンテンツ（類似コンテンツ群）、その他のコンテンツを非類似コンテンツとして判別してもよい。なお、“所定順位までのコンテンツ”を“複数のコンテンツ”そのものとみなすことも可能である。
【００２３】
図３は、図２に示す複数のコンテンツの順位が変更される様子を示す図である。情報処理サーバ３０は、第２の基準（例えば、カテゴリー、価格、識別コード等を考慮要素した基準）に基づいて複数回順位の変更を行う。図３の例では、情報処理サーバ３０は、３回順位の変更を行っている。図３の上段が、１回目の順位変更後の複数のコンテンツの順位状態（以下、状態Ｄ２という。）を示しており、中段が、２回目の順位変更後の複数のコンテンツの順位状態（以下、状態Ｄ３という。）を示しており、下段が、３回目の順位変更後の複数のコンテンツの順位状態（以下、状態Ｄ４という。）を示している。以下、情報処理サーバ３０が行う順位の変更処理について、図２及び図３を参照しながら説明する。
【００２４】
最初に、情報処理サーバ３０は、１回目の順位の変更処理を実行する。１回目の処理では、情報処理サーバ３０は、コンテンツが示す商品或いはサービスのカテゴリー（以下、コンテンツのカテゴリーともいう。）に基づく順位の変更を行う。具体的には、情報処理サーバ３０は、他の多数のコンテンツのカテゴリーとは異なるカテゴリーのコンテンツを他の順位に回す。１回目の順位の変更処理は次の手順で行う。
【００２５】
まず、情報処理サーバ３０は、複数のコンテンツの中に、コンテンツが示す商品或いはサービスのカテゴリーが類似する（或いは同じ）コンテンツがいくつあるか判別する。具体的には、情報処理サーバ３０は、設定順位までのコンテンツの中に、カテゴリーが同じコンテンツがいくつあるかカウントする。図２の例であれば、設定順位（１０位）までのコンテンツＣ１〜Ｃ１０の中に、カテゴリーが「衣類」のコンテンツは、コンテンツＣ１、Ｃ３〜Ｃ１０の９個ある。そのため、情報処理サーバ３０は、設定順位までのコンテンツの中にカテゴリーが同じコンテンツが９個あると判別する。
【００２６】
その後、情報処理サーバ３０は、カウントした数に基づいて、同じカテゴリーのコンテンツが複数のコンテンツ（設定順位までコンテンツ）の多数を占めているか判別する。例えば、情報処理サーバ３０は、設定順位までのコンテンツの中に、同じカテゴリーのコンテンツが所定数（例えば、７個）以上含まれるか否か判別することにより同じカテゴリーのコンテンツが多数を占めているか判別する。所定数が７個と設定されていたとすると、図２の例の場合、設定順位（１０位）までのコンテンツＣ１〜Ｃ１０の中に同じカテゴリー（「衣類」）のコンテンツは９個あるので、情報処理サーバ３０は、同じカテゴリーのコンテンツが所定数（例えば、７個）以上含まれる（多数を占める）と判別する。なお所定数は７個に限定されない。７個より多くてもよいし、７個より少なくてもよい。また、所定数ではなく所定割合であってもよい。
【００２７】
カテゴリーが互いに同じコンテンツが所定数以上含まれる場合、情報処理サーバ３０は、これらのコンテンツをカテゴリーが類似する類似コンテンツ（以下、カテゴリー類似コンテンツという。）として判別する。そして、情報処理サーバ３０は、設定順位までのコンテンツの中から、カテゴリー類似コンテンツのカテゴリーとは異なるカテゴリーのコンテンツを、カテゴリーが非類似のコンテンツ（以下、カテゴリー非類似コンテンツという。）として選択する。図２の例であれば、コンテンツＣ２が示す商品のカテゴリーは「衣類収納」であり、他の９個のカテゴリー「衣類」とは異なっている。そこで、情報処理サーバ３０は、コンテンツＣ２をカテゴリー非類似コンテンツとして選択する。
【００２８】
そして、情報処理サーバ３０は、カテゴリー非類似コンテンツとして選択したコンテンツの順位を他の順位に回すことにより複数のコンテンツの順位を変更する。例えば、情報処理サーバ３０は、選択したコンテンツが設定順位（例えば１０位）より後の順位となるよう複数のコンテンツの順位を変更する。このとき、情報処理サーバ３０は、選択したコンテンツが設定順位の一つ後の順位となるよう複数のコンテンツの順位を変更してもよい。複数のコンテンツの状態が図２の状態Ｄ１であり、選択されたコンテンツが白抜き矢印で示すコンテンツＣ２なのであれば、情報処理サーバ３０は、図３の状態Ｄ２で示すように、コンテンツＣ２を設定順位（１０位）の一つ後の１１位に回す。コンテンツＣ３〜Ｃ１０は、コンテンツＣ２の順の変更に伴い、順位を一つずつ繰り上げる。
【００２９】
以上の処理により、商品或いはサービスのカテゴリーが他と異なるコンテンツが設定順位から外れることになる。
【００３０】
次に、情報処理サーバ３０は、２回目の順位の変更処理を実行する。２回目の処理では、情報処理サーバ３０は、コンテンツが示す商品或いはサービスの価格（以下、コンテンツの価格ともいう。）に基づき順位の変更を行う。具体的には、情報処理サーバ３０は、他の多数のコンテンツの価格帯を外れたコンテンツを他の順位に回す。２回目の順位の変更処理は次の手順で行う。
【００３１】
まず、情報処理サーバ３０は、順位が変更された複数のコンテンツの中の設定順位までのコンテンツが示す商品或いはサービスの価格の中央値を判別する。図３の状態Ｄ２の例であれば、設定順位（１０位）までのコンテンツは、コンテンツＣ１、Ｃ３〜Ｃ１１である。コンテンツＣ１、Ｃ３〜Ｃ１１が示す商品の価格は、それぞれ、２６００円、７５００円、２３００円、２３５０円、５１０円、３９８０円、２７００円、１９８００円、４１００円、４６００円である。設定順位（１０位）が偶数であるので、中央は５番目と６番目の２つとなる。５番目及び６番目の価格は、コンテンツＣ８の２７００円及びコンテンツＣ７の３９８０円である。情報処理サーバ３０は、コンテンツＣ８とコンテンツＣ７のいずれか一方の価格を中央値と判別してもよいし、コンテンツＣ８の価格とコンテンツＣ７の価格の平均値を中央値として判別してもよい。本実施形態では、情報処理サーバ３０は、２７００円と３９８０円の平均値である３３４０円を中央値として判別する。
【００３２】
その後、情報処理サーバ３０は、設定順位までのコンテンツの中から所定の価格範囲のコンテンツを価格が類似するコンテンツ（以下、価格類似コンテンツという。）とし、所定の価格範囲を外れたコンテンツを価格が非類似のコンテンツ（以下、価格非類似コンテンツという。）として選択する。このとき、所定の価格範囲は、中央値を基準に定まる価格範囲であってもよい。例えば、価格範囲は、中央値の５０％〜２００％の範囲の価格であってもよい。３３４０円が中央値なのであれば、価格範囲は、中央値の５０％〜２００％である１６７０円〜６６８０円であってもよい。なお、価格範囲は中央値の５０％〜２００％の範囲に限定されない。価格範囲は、中央値を基準とした他の割合の範囲、例えば、中央値の６０％〜１５０％の範囲の価格であってもよい。或いは、価格範囲は設定順位までのコンテンツの価格の平均値を基準に定まる価格範囲であってもよい。その他、価格範囲は設定順位までのコンテンツの価格に基づき定まる価格範囲であってもよい。図３の状態Ｄ２の例において、価格範囲が１６７０円〜６６８０円なのであれば、情報処理サーバ３０は、この価格範囲を外れたコンテンツＣ３（７５００円）、コンテンツＣ６（５１０円）、コンテンツＣ９（１９８００円）を価格非類似コンテンツとして選択する。
【００３３】
そして、情報処理サーバ３０は、価格非類似コンテンツとして選択したコンテンツの順位を他の順位に回すことにより複数のコンテンツの順位を変更する。例えば、情報処理サーバ３０は、選択したコンテンツが設定順位（例えば１０位）より後の順位となるよう複数のコンテンツの順位を変更する。このとき、情報処理サーバ３０は、選択したコンテンツが所定順位の直後に並ぶよう複数のコンテンツの順位を変更してもよい。複数のコンテンツの状態が図３の状態Ｄ２であり、選択されたコンテンツが白抜き矢印で示すコンテンツＣ３、Ｃ６、Ｃ９の３つなのであれば、情報処理サーバ３０は、図３の状態Ｄ３で示すように、コンテンツＣ３、Ｃ６、Ｃ９の３つを設定順位（１０位）の直後の１１位、１２位、１３位に回す。このとき、情報処理サーバ３０は、選択したコンテンツを元の順位が高い順に並べてもよい。例えば、情報処理サーバ３０は、元の順位が最も高いコンテンツＣ３を１１位に、元の順位が次に高いコンテンツＣ６を１２位に、元の順位が最も低いコンテンツＣ９を１３位にしてもよい。コンテンツＣ４、Ｃ５、Ｃ７、Ｃ８、Ｃ１０、Ｃ１１は、コンテンツＣ３、Ｃ６、Ｃ９の順の変更に伴い、順位を繰り上げる。
【００３４】
以上の処理により、商品或いはサービスの価格が他と外れたコンテンツが設定順位から外れることになる。
【００３５】
次に、情報処理サーバ３０は、３回目の順位の変更処理を実行する。３回目の処理では、情報処理サーバ３０は、コンテンツが示す商品或いはサービスの識別コード（以下、コンテンツの識別コードともいう。）に基づく順位の変更を行う。具体的には、情報処理サーバ３０は、他の多数のコンテンツの識別コードとは異なる識別コードのコンテンツを他の順位に回す。３回目の順位の変更処理は次の手順で行う。
【００３６】
まず、情報処理サーバ３０は、順位が変更された複数のコンテンツの中に、コンテンツが示す商品或いはサービスの識別コードが類似する（或いは同じ）コンテンツがいくつあるか判別する。具体的には、情報処理サーバ３０は、設定順位までのコンテンツの中に、識別コードが同じコンテンツがいくつあるかカウントする。なお、識別コードが複数付されているコンテンツが含まれる場合、情報処理サーバ３０は、複数の識別コードのいずれかが一致するコンテンツを識別コードが同じコンテンツとして判別してもよい。図３の状態Ｄ３の例であれば、設定順位（１０位）までのコンテンツＣ１、Ｃ４、Ｃ５、Ｃ７、Ｃ８、Ｃ１０、Ｃ１１、Ｃ２、Ｃ１２、Ｃ１３の中に、識別コードが「１２３４５」のコンテンツは、コンテンツＣ１、Ｃ４、Ｃ５、Ｃ８、Ｃ１０、Ｃ１１、Ｃ１２、Ｃ１３の８個ある。そのため、情報処理サーバ３０は、設定順位までのコンテンツの中に識別コードが同じコンテンツが８個あると判別する。
【００３７】
その後、情報処理サーバ３０は、カウントした数に基づいて、同じ識別コードのコンテンツが複数のコンテンツ（設定順位までコンテンツ）の多数を占めているか判別する。例えば、情報処理サーバ３０は、設定順位までのコンテンツの中に、同じ識別コードのコンテンツが所定数（例えば、７個）以上含まれるか否か判別することにより同じ識別コードのコンテンツが多数を占めているか判別する。所定数が７個と設定されていたとすると、図３の状態Ｄ３の例の場合、設定順位（１０位）までのコンテンツＣ１、Ｃ４、Ｃ５、Ｃ７、Ｃ８、Ｃ１０、Ｃ１１、Ｃ２、Ｃ１２、Ｃ１３の中に同じ識別コード（「１２３４５」）のコンテンツは８個あるので、情報処理サーバ３０は、同じ識別コードのコンテンツが所定数（例えば、７個）以上含まれる（多数を占める）と判別する。なお所定数は７個に限定されない。７個より多くてもよいし、７個より少なくてもよい。また、所定数ではなく所定割合であってもよい。
【００３８】
同じ識別コードのコンテンツが所定数以上含まれる場合、情報処理サーバ３０は、これらのコンテンツを識別コードが類似するコンテンツ（以下、識別コード類似コンテンツという。）として判別する。そして、情報処理サーバ３０は、設定順位までのコンテンツの中から、識別コード類似コンテンツの識別コードとは異なる識別コードのコンテンツを、識別コードが非類似の非類似コンテンツとして選択する。図３の状態Ｄ３の例であれば、コンテンツＣ７、Ｃ２が示す商品の識別コードは「４５６７８」、「２３４５６」であり、他の８個の識別コード「１２３４５」とは異なっている。そこで、情報処理サーバ３０は、コンテンツＣ７、Ｃ２を識別コード非類似コンテンツとして選択する。
【００３９】
そして、情報処理サーバ３０は、識別コード非類似コンテンツとして選択したコンテンツの順位を他の順位に回すことにより複数のコンテンツの順位を変更する。例えば、情報処理サーバ３０は、選択したコンテンツが設定順位（例えば１０位）より後の順位となるよう複数のコンテンツの順位を変更する。このとき、情報処理サーバ３０は、選択したコンテンツが所定順位の直後に並ぶよう複数のコンテンツの順位を変更してもよい。複数のコンテンツの状態が図３の状態Ｄ３であり、選択されたコンテンツが白抜き矢印で示すコンテンツＣ７、Ｃ２の２つなのであれば、情報処理サーバ３０は、図３の状態Ｄ４で示すように、コンテンツＣ７、Ｃ２の２つを設定順位（１０位）の直後の１１位、１２位に回す。このとき、情報処理サーバ３０は、選択したコンテンツを元の順位が高い順に並べてもよい。例えば、情報処理サーバ３０は、元の順位が最も高いコンテンツＣ７を１１位に、元の順位が次に高いコンテンツＣ２を１２位にしてもよい。コンテンツＣ１、Ｃ４、Ｃ５、Ｃ８、Ｃ１０、Ｃ１１、Ｃ１２、Ｃ１３は、コンテンツＣ７、Ｃ２の順の変更に伴い、順位を繰り上げる。
【００４０】
以上の処理により、商品或いはサービスの識別コードが他と異なるコンテンツが設定順位から外れることになる。
【００４１】
順位の変更処理が完了したら、情報処理サーバ３０は、順位が変更された複数のコンテンツに基づいて図１に示すページＰを生成する。このとき、情報処理サーバ３０は、順位が変更された複数のコンテンツの中から、最上位から順位順に設定数（図１の例の場合１０個）のコンテンツを選択する。そして、情報処理サーバ３０は、選択したコンテンツを順位順にページＰのスクロール領域Ａに配置する。ページＰの生成が完了したら、情報処理サーバ３０は、ページＰを端末装置１００に送信する。端末装置１００は、情報処理サーバ３０から受信したページＰを画面に表示する。
【００４２】
以上のように、情報処理サーバ３０は、第１の基準で順位づけされた複数のコンテンツの情報をコンテンツ提供サーバ２０から取得する。そして、情報処理サーバ３０は、第２の基準に基づいて複数のコンテンツの中からコンテンツを選択し、選択したコンテンツを他の順位に回すことにより複数のコンテンツの順位を変更する。第１の基準で順位づけされた結果がユーザにとって効果的でない結果を含む場合であっても、第２の基準に基づいて選択されたコンテンツの順位が変更されているので、生成される複数のコンテンツの順位はユーザにとって効果的である。
【００４３】
〔２．配信システムの構成例〕
以上、本実施形態の情報処理装置の一例である情報処理サーバ３０を例に、情報処理装置の動作を述べたが、以下、本実施形態の情報処理装置の構成を説明する。以下の説明では、情報処理サーバ３０を備える配信システム１を例に情報処理装置の構成を説明する。最初に、図４を使って実施形態に係る配信システム１の構成について説明する。
【００４４】
図４は、実施形態に係る配信システム１の構成例を示す図である。図４に示すように、配信システム１は、端末装置１００と、ストア端末１０と、コンテンツ提供サーバ２０と、情報処理サーバ３０とを備える。端末装置１００、ストア端末１０、コンテンツ提供サーバ２０および情報処理サーバ３０は、ネットワークＮを介して接続される。ネットワークＮは、ＬＡＮ（Local  Area  Network）、ＷＡＮ（Wide  Area  Network）、電話網（携帯電話網、固定電話網等）、地域ＩＰ（Internet  Protocol）網、インターネット等の通信ネットワークである。ネットワークＮには、有線ネットワークが含まれていてもよいし、無線ネットワークが含まれていてもよい。なお、図４に示す配信システム１には、端末装置１００、ストア端末１０、コンテンツ提供サーバ２０、及び情報処理サーバ３０がそれぞれ複数台含まれてもよい。
【００４５】
端末装置１００は、ページを閲覧するユーザによって利用される情報処理装置である。端末装置１００は、ユーザの操作に従って、コンテンツ提供サーバ２０及び情報処理サーバ３０からページの情報を取得する。端末装置１００の構成は後述する。
【００４６】
ストア端末１０は、商品或いはサービスを提供するストアによって利用される情報処理装置である。例えば、ストア端末１０は、スマートデバイス（スマートフォン、或いはタブレット）、携帯電話、パーソナルコンピュータ等の端末装置である。ストア端末１０は、ストアの店員等による操作に従って、コンテンツ提供サーバ２０にコンテンツを入稿する。例えば、ストア端末１０は、コンテンツＣ１、Ｃ２等をコンテンツとしてコンテンツ提供サーバ２０に入稿する。ストア端末１０が入稿するコンテンツは、画像（静止画、動画像）であってもよいし、テキストデータであってもよい。
【００４７】
コンテンツ提供サーバ２０は、ストア端末１０から入稿されたコンテンツを配信するサーバ装置である。例えば、コンテンツ提供サーバ２０は、オークションサイト、ショッピングサイト、飲食店紹介サイト等として機能するサーバである。例えば、コンテンツ提供サーバ２０は、端末装置１００から商品或いはサービスに関する検索クエリを受付けると、検索クエリに基づいて検索クエリにマッチする商品或いはサービスを判別するとともに、判別結果に基づいてページを生成して端末装置１００に送信する。コンテンツ提供サーバ２０の構成は後述する。
【００４８】
情報処理サーバ３０は、端末装置１００にページの情報を配信するサーバ装置である。例えば、情報処理サーバ３０は、ポータルサイト、ニュースサイト、オークションサイト、天気予報サイト、ショッピングサイト、ファイナンス（株価）サイト、路線検索サイト、地図提供サイト、旅行サイト、飲食店紹介サイト、ウェブブログなどに関連する各種情報がタイル状に配置されたウェブページを端末装置１００に配信する装置である。情報処理サーバ３０は、ポータルサイト等のウェブページを配信するサーバであってもよい。また、情報処理サーバ３０は、端末装置１００に制御情報を配信する配信装置としても機能する。情報処理サーバ３０の構成は後述する。
【００４９】
〔３．コンテンツ提供サーバの構成例〕
次に、コンテンツ提供サーバ２０の構成について説明する。コンテンツ提供サーバ２０は、端末装置１００、ストア端末１０、情報処理サーバ３０等のクライアント端末からの要求を処理するサーバ用ホストコンピュータ（以下、単に「サーバ」という。）である。コンテンツ提供サーバ２０は、ＰＣサーバであってもよいし、ミッドレンジサーバであってもよいし、メインフレームサーバであってもよい。また、コンテンツ提供サーバ２０は、１つのサーバにより構成されていてもよいし、協同して処理を実行する複数のサーバにより構成されていてもよい。コンテンツ提供サーバ２０が複数のサーバで構成される場合、これらサーバの設置場所は離れていてもよい。設置場所が離れていたとしても、協同して処理を実行するのであれば、これらサーバは１つのコンテンツ提供サーバとみなすことができる。
【００５０】
図５は、実施形態に係るコンテンツ提供サーバ２０の構成例を示す図である。コンテンツ提供サーバ２０は、通信部２１と、記憶部２２と、制御部２３と、を備える。なお、図５に示した構成は機能的な構成であり、ハードウェア構成はこれとは異なっていてもよい。
【００５１】
通信部２１は、外部の装置と通信する通信インタフェースである。通信部２１は、ネットワークインタフェースであってもよいし、機器接続インタフェースであってもよい。例えば、通信部２１は、ＮＩＣ（Network  Interface  Card）等のＬＡＮインタフェースであってもよいし、ＵＳＢ（Universal  Serial  Bus）ホストコントローラ、ＵＳＢポート等により構成されるＵＳＢインタフェースであってもよい。また、通信部２１は、有線インタフェースであってもよいし、無線インタフェースであってもよい。通信部２１は、コンテンツ提供サーバ２０の通信手段として機能する。通信部２１は、制御部２３の制御に従って端末装置１００、ストア端末１０、及び情報処理サーバ３０と通信する。
【００５２】
記憶部２２は、ＤＲＡＭ（Dynamic  Random  Access  Memory）、ＳＲＡＭ（Static  Random  Access  Memory）、フラッシュメモリ、ハードディスク等のデータ読み書き可能な記憶装置である。記憶部２２は、コンテンツ提供サーバ２０の記憶手段として機能する。記憶部２２は、コンテンツデータベース２４を記憶する。
【００５３】
コンテンツデータベース２４は、ストア端末１０から入稿されたコンテンツに関する情報が格納されたデータベースである。図６は、実施形態に係るコンテンツデータベース２４に格納された情報の一例を示す図である。図６に示した例では、コンテンツデータベース２４は、ストアＩＤ、コンテンツ、商品名、カテゴリー、価格、識別コード等の項目を有している。
【００５４】
「ストアＩＤ」は、ストア（提供ストア）またはストア端末１０を識別するための識別情報を示す。「コンテンツ」は、ストア端末１０から入稿されたコンテンツ、すなわち、コンテンツＣ１、Ｃ２、Ｃ４、Ｃ２０、Ｃ２１等の商品に関するコンテンツを示す。なお、図６に示す例では、「コンテンツ」には「Ｃ１」、「Ｃ２」、「Ｃ４」、「Ｃ２０」、「Ｃ２１」といった概念的な情報が格納されているが、音声データ、画像データ、テキストデータ、ゲームデータ、ゲーム形式のデータ等、コンテンツのデータそのものが格納されていてもよい。なお、「コンテンツ」には、各コンテンツが所在するＵＲＬ、または、これらの格納場所を示すファイルパス名などが格納されていてもよい。「商品名」は、ストアが提供する商品の名前を示す。「カテゴリー」は、ストアが提供する商品のカテゴリーを示す。「識別コード」は、ストアが提供する商品の識別コードを示す。
【００５５】
図６の例では、ストアＩＤ「Ｋ１０」によって識別されるストアが、コンテンツＣ１、Ｃ２、Ｃ２０を入稿した例が示されている。コンテンツＣ１は、商品名が「ＡＡＡＡ」、カテゴリーは「衣類」、価格は「２６００」、識別コードは「１２３４５」である。コンテンツＣ２は、商品名が「ＢＢＢＢ」、カテゴリーは「衣類収納」、価格は「１０００」、識別コードは「２３４５６」である。コンテンツＣ２０は、商品名が「ＣＣＣＣ」、カテゴリーは「食品」、価格は「２１００」、識別コードは「３４５６７」である。また、図６の例では、ストアＩＤ「Ｋ２０」によって識別されるストアが、コンテンツＣ４、Ｃ２１を入稿した例が示されている。コンテンツＣ４は、商品名が「ＡＡＡＡ」、カテゴリーは「衣類」、価格は「２３００」、識別コードは「１２３４５」である。コンテンツＣ２１は、商品名が「ＢＢＢＢ」、カテゴリーは「衣類収納」、価格は「９００」、識別コードは「２３４５６」である。
【００５６】
なお、コンテンツデータベース２４は、上記以外の項目の情報を記憶してもよい。例えば、コンテンツデータベース２４は、商品のブランドの情報やコンテンツとユーザとのマッチングを行うための情報をさらに記憶してもよい。
【００５７】
図５に戻り、制御部２３は、コントローラ（controller）であり、例えば、ＣＰＵ（Central  Processing  Unit）、ＭＰＵ（Micro  Processing  Unit）等のプロセッサによって、コンテンツ提供サーバ２０内部の記憶装置に記憶されている各種プログラムがＲＡＭ等を作業領域として実行されることにより実現される。また、制御部２３は、コントローラであり、例えば、ＡＳＩＣ（Application  Specific  Integrated  Circuit）やＦＰＧＡ（Field  Programmable  Gate  Array）等の集積回路により実現されてもよい。
【００５８】
制御部２３は、図５に示すように、コンテンツ受付部２５と、要求受付部２６と、順位生成部２７と、送信部２８と、を備える。制御部２３を構成するブロック（コンテンツ受付部２５〜送信部２８）はそれぞれ制御部２３の機能を示す機能ブロックである。これら機能ブロックはソフトウェアブロックであってもよいし、ハードウェアブロックであってもよい。例えば、上述の機能ブロックが、それぞれ、ソフトウェア（マイクロプログラムを含む。）で実現される１つのソフトウェアモジュールであってもよいし、半導体チップ（ダイ）上の１つの回路ブロックであってもよい。勿論、各機能ブロックがそれぞれ１つのプロセッサ或いは１つの集積回路であってもよい。機能ブロックの構成方法は任意である。なお、制御部２３は上述の機能ブロックとは異なる機能単位で構成されていてもよい。
【００５９】
コンテンツ受付部２５は、ストア端末１０からコンテンツの入稿を受け付ける。コンテンツ受付部２５は、コンテンツの情報とともに、カテゴリー、価格、及び識別コード、ブランド等の付加情報の入稿を受け付けてもよい。コンテンツ受付部２５は、コンテンツおよび付加情報を、ストアＩＤとともにコンテンツデータベース２４に登録する。
【００６０】
要求受付部２６は、端末装置１００及び情報処理サーバ３０からコンテンツの取得要求を受け付ける。例えば、要求受付部２６は、コンテンツの取得要求として、ＨＴＴＰリクエストを受け付ける。
【００６１】
順位生成部２７は、要求受付部２６によってコンテンツの取得要求が受け付けられた場合に、配信候補のコンテンツをコンテンツデータベース２４から選択する。例えば、順位生成部２７は、端末装置１００或いは情報処理サーバ３０から取得した情報（例えば、検索クエリ）に基づいて配信対象となるコンテンツのマッチングを行う。複数のコンテンツがマッチした場合には、順位生成部２７は、第１の基準に従って複数のコンテンツの順位付けを行う。
【００６２】
送信部２８は、順位生成部２７が選択したコンテンツを順位の情報とともに、端末装置１００或いは情報処理サーバ３０に対して送信する。
【００６３】
〔４．情報処理サーバの構成例〕
次に、情報処理サーバ３０の構成について説明する。情報処理サーバ３０は、端末装置１００等のクライアント端末からの要求を処理するサーバ用ホストコンピュータ（以下、単に「サーバ」という。）である。情報処理サーバ３０は、ＰＣサーバであってもよいし、ミッドレンジサーバであってもよいし、メインフレームサーバであってもよい。また、情報処理サーバ３０は、１つのサーバにより構成されていてもよいし、協同して処理を実行する複数のサーバにより構成されていてもよい。情報処理サーバ３０が複数のサーバで構成される場合、これらサーバの設置場所は離れていてもよい。設置場所が離れていたとしても、協同して処理を実行するのであれば、これらサーバは１つのコンテンツ提供サーバとみなすことができる。
【００６４】
図７は、実施形態に係る情報処理サーバ３０の構成例を示す図である。情報処理サーバ３０は、通信部３１と、記憶部３２と、制御部３３と、を備える。なお、図７に示した構成は機能的な構成であり、ハードウェア構成はこれとは異なっていてもよい。
【００６５】
通信部３１は、外部の装置と通信する通信インタフェースである。通信部３１は、ネットワークインタフェースであってもよいし、機器接続インタフェースであってもよい。例えば、通信部３１は、ＮＩＣ等のＬＡＮインタフェースであってもよいし、ＵＳＢホストコントローラ、ＵＳＢポート等により構成されるＵＳＢインタフェースであってもよい。また、通信部３１は、有線インタフェースであってもよいし、無線インタフェースであってもよい。通信部３１は、情報処理サーバ３０の通信手段として機能する。通信部３１は、制御部３３の制御に従って端末装置１００、及びコンテンツ提供サーバ２０と通信する。
【００６６】
記憶部３２は、ＤＲＡＭ、ＳＲＡＭ、フラッシュメモリ、ハードディスク等のデータ読み書き可能な記憶装置である。記憶部３２は、情報処理サーバ３０の記憶手段として機能する。記憶部３２は、コンテンツＣ１等のコンテンツが配置されたページの情報を記憶する。例えば、記憶部３２は、ページを形成するＨＴＭＬ（Hyper  Text  Markup  Language）ファイルや、ページに表示される画像のデータを記憶する。
【００６７】
制御部３３は、コントローラであり、例えば、ＣＰＵ、ＭＰＵ等のプロセッサによって、情報処理サーバ３０内部の記憶装置に記憶されている各種プログラムがＲＡＭ等を作業領域として実行されることにより実現される。また、制御部３３は、コントローラであり、例えば、ＡＳＩＣやＦＰＧＡ等の集積回路により実現されてもよい。
【００６８】
制御部３３は、図７に示すように、受付部３４と、取得部３５と、変更部３６と、生成部３７と、送信部３８と、を備える。制御部３３を構成するブロック（受付部３４〜送信部３８）はそれぞれ制御部３３の機能を示す機能ブロックである。これら機能ブロックはソフトウェアブロックであってもよいし、ハードウェアブロックであってもよい。例えば、上述の機能ブロックが、それぞれ、ソフトウェア（マイクロプログラムを含む。）で実現される１つのソフトウェアモジュールであってもよいし、半導体チップ（ダイ）上の１つの回路ブロックであってもよい。勿論、各機能ブロックがそれぞれ１つのプロセッサ或いは１つの集積回路であってもよい。機能ブロックの構成方法は任意である。なお、制御部３３は上述の機能ブロックとは異なる機能単位で構成されていてもよい。
【００６９】
受付部３４は、端末装置１００からページの取得要求を受け付ける。例えば、受付部３４は、ウェブページの取得要求として、ＨＴＴＰリクエストを受け付ける。ウェブページの取得要求には商品或いはサービスに関する検索クエリが含まれていてもよい。
【００７０】
取得部３５は、コンテンツ提供サーバ２０から第１の基準で順位づけされた複数のコンテンツの情報を取得する。なお、複数のコンテンツが記憶部３２に格納されているのであれば、取得部３５は、記憶部３２から複数のコンテンツの情報を取得してもよい。
【００７１】
変更部３６は、複数のコンテンツのうち、類似するコンテンツ群である類似コンテンツ群と非類似のコンテンツの順位を変更する。例えば、変更部３６は、第２の基準に基づいて複数のコンテンツの中からコンテンツを選択し、選択したコンテンツを他の順位に回すことにより複数のコンテンツの順位を変更する。このとき、変更部３６は、複数のコンテンツの中にある複数の類似コンテンツと非類似のコンテンツを複数のコンテンツの中から選択し、選択したコンテンツを他の順位に回してもよい。例えば、変更部３６は、複数のコンテンツの中の所定順位までのコンテンツの中に、互いに類似するコンテンツが所定数以上含まれる場合に、所定順位までのコンテンツの中から、互いに類似するコンテンツとは非類似のコンテンツを他の順位に回すコンテンツとして選択する。
【００７２】
また、変更部３６は、第２の基準に基づいて複数のコンテンツの中の所定順位までのコンテンツの中からコンテンツを選択し、選択したコンテンツを他の順位に回してもよい。例えば、変更部３６は、複数のコンテンツの中の所定順位までのコンテンツの中にある複数の類似コンテンツと非類似のコンテンツを所定順位までのコンテンツの中から選択し、選択したコンテンツを他の順位に回してもよい。このとき、変更部３６は、選択したコンテンツが所定順位より後の順位となるよう複数のコンテンツの順位を変更してもよい。例えば、変更部３６は、選択したコンテンツが所定順位の一つ後の順位となるよう複数のコンテンツの順位を変更してもよい。また、変更部３６は、所定順位までのコンテンツの中からコンテンツを複数選択し、選択したコンテンツが所定順位の直後に元の順位が高い順に並ぶよう複数のコンテンツの順位を変更してもよい。
【００７３】
また、変更部３６は、コンテンツの出力態様を基準に、他の順位に回すコンテンツを選択してもよい。例えば、変更部３６は、コンテンツが画像を含むか否かを基準に、他の順位に回すコンテンツを選択してもよい。
【００７４】
なお、複数のコンテンツは、商品或いはサービスに関するコンテンツであってもよい。このとき、変更部３６は、コンテンツが示す商品或いはサービスの情報を基準に、他の順位に回すコンテンツを選択してもよい。例えば、変更部３６は、商品或いはサービスのカテゴリー、価格、識別コード、ブランド、若しくは提供ストアを基準に、他の順位に回すコンテンツを選択してもよい。
【００７５】
また、変更部３６は、複数のコンテンツの中の所定順位までのコンテンツの中に、商品或いはサービスのカテゴリーが同じコンテンツが所定数以上含まれる場合には、所定順位までのコンテンツの中から、このカテゴリーとは異なるカテゴリーのコンテンツを他の順位に回すコンテンツとして選択してもよい。
【００７６】
また、変更部３６は、複数のコンテンツの中の所定順位までのコンテンツが示す商品或いはサービスの価格の中央値を算出し、所定順位までのコンテンツの中から、中央値を基準に定まる価格範囲を外れたコンテンツを他の順位に回すコンテンツとして選択してもよい。
【００７７】
また、変更部３６は、複数のコンテンツの中の所定順位までのコンテンツの中に、商品或いはサービスの識別コードが同じコンテンツが所定数以上含まれる場合には、所定順位までのコンテンツの中から、この識別コードとは異なる識別コードのコンテンツを他の順位に回すコンテンツとして選択してもよい。
【００７８】
また、変更部３６は、複数のコンテンツの中の所定順位までのコンテンツの中に、商品或いはサービスのカテゴリーが同じコンテンツが所定数以上含まれる場合には、所定順位までのコンテンツの中から、このカテゴリーとは異なるカテゴリーのコンテンツを選択し、選択したコンテンツの順位を他の順位に回すことにより複数のコンテンツの順位を変更してもよい。
【００７９】
さらに、その後、変更部３６は、順位が変更された複数のコンテンツの中の所定順位までのコンテンツが示す商品或いはサービスの価格の中央値を判別し、所定順位までのコンテンツの中から、中央値を基準に定まる価格範囲を外れたコンテンツを選択し、選択したコンテンツの順位を他の順位に回すことにより複数のコンテンツの順位を変更してもよい。
【００８０】
さらに、その後、変更部３６は、順位が変更された複数のコンテンツの中の所定順位までのコンテンツの中に、商品或いはサービスの識別コードが同じコンテンツが所定数以上含まれる場合には、所定順位までのコンテンツの中から、この識別コードとは異なる識別コードのコンテンツを選択し、選択したコンテンツの順位を他の順位に回すことにより複数のコンテンツの順位を変更してもよい。
【００８１】
また、変更部３６は、複数のコンテンツの中の所定順位までのコンテンツのタイトル中に、商品或いはサービスの名称が同じコンテンツが所定数以上含まれる場合には、所定順位までのコンテンツの中から、該名称とは異なる名称のコンテンツを他の順位に回すコンテンツとして選択してもよい。
【００８２】
生成部３７は、順位が変更された複数のコンテンツに基づいてページＰを生成する。例えば、生成部３７は、順位が変更された複数のコンテンツの中から、最上位から順位順に設定数のコンテンツを選択し、選択したコンテンツを順位順にページＰのスクロール領域Ａに配置する。送信部３８は、生成部３７が生成したページを端末装置１００に対して送信する。
【００８３】
〔５．端末装置の構成例〕
次に、端末装置１００の構成について説明する。端末装置１００は、ユーザがページの閲覧に使用する情報表示装置である。端末装置１００は、例えば、スマートフォン、タブレット、携帯電話等の通信端末である。通信機能を備えるのであれば、端末装置１００は、パーソナルコンピュータ（ノートＰＣ、デスクトップＰＣ）、ＰＤＡ（Personal  Digital  Assistant）等の情報処理端末であってもよい。この場合、情報処理端末も通信端末の一種である。端末装置１００は、ネットワークＮを介してコンテンツ提供サーバ２０、及び情報処理サーバ３０と接続する。
【００８４】
図８は、実施形態に係る端末装置１００の構成例を示す図である。端末装置１００は、通信部１１０と、入力部１２０と、記憶部１３０と、出力部１４０と、制御部１５０と、を備える。なお、図８に示した構成は機能的な構成であり、ハードウェア構成はこれとは異なっていてもよい。
【００８５】
通信部１１０は、外部の装置と通信する通信インタフェースである。通信部１１０は、ネットワークインタフェースであってもよいし、機器接続インタフェースであってもよい。例えば、通信部１１０は、ＮＩＣ等のＬＡＮインタフェースであってもよいし、ＵＳＢホストコントローラ、ＵＳＢポート等により構成されるＵＳＢインタフェースであってもよい。また、通信部１１０は、有線インタフェースであってもよいし、無線インタフェースであってもよい。通信部１１０は、端末装置１００の通信手段として機能する。通信部１１０は、制御部１５０の制御に従ってコンテンツ提供サーバ２０、及び情報処理サーバ３０と通信する。
【００８６】
入力部１２０は、外部から各種入力を受け付ける入力装置である。例えば、入力部１２０は、キーボードやマウスや操作キー等、ユーザが各種操作を行うための操作装置である。入力部１２０は、端末装置１００の入力手段として機能する。なお、端末装置１００にタッチパネルが採用される場合には、タッチパネルも入力部１２０に含まれる。この場合、ユーザは、指やスタイラスで画面をタッチすることにより各種操作を行う。
【００８７】
記憶部１３０は、ＤＲＡＭ、ＳＲＡＭ、フラッシュメモリ、ハードディスク等のデータ読み書き可能な記憶装置である。記憶部１３０は、端末装置１００の記憶手段として機能する。記憶部１３０は、ウェブブラウザ等のアプリケーションのデータが格納されている。以下の説明では、ウェブブラウザのことを単にブラウザという。
【００８８】
出力部１４０は、音、光、振動、画像等、外部に各種出力を行う装置である。出力部１４０は、端末装置１００の出力手段として機能する。出力部１４０は、表示部１４１を備える。表示部１４１は、各種情報を表示する装置である。例えば、表示部１４１は、液晶ディスプレイ、有機ＥＬディスプレイ等の表示装置である。なお、端末装置１００にタッチパネルが採用される場合には、入力部１２０と表示部１４１は一体であってもよい。
【００８９】
図９は、端末装置１００に表示されるページＰの一例を示す図である。ページＰは、例えば、ニュース、天気予報、受信メールのインデックスや内容、フォトビュワー、その他各種のコンテンツが配置されたウェブページである。ページＰは、ＨＴＭＬ、ＸＭＬ（Extensible  Markup  Language）等で記述される。
【００９０】
本実施形態では、ページＰは、ユーザの検索クエリに対応した検索結果が縦方向にリストされた検索結果ページとなっている。ページＰは、検索結果の表示領域の１つが、スクロール領域Ａとなっている。スクロール領域Ａは、リスト方向（図９の例の場合、縦方向）に対して垂直にスクロール可能である。スクロール領域Ａには、スクロール方向（図９の例の場合、横方向）に沿って一列に複数のコンテンツがタイル状に配置されている。図９の例であれば、スクロール領域Ａには、コンテンツＣ１、Ｃ４、Ｃ５、Ｃ８、Ｃ１０〜Ｃ１３、Ｃ３、Ｃ６の１０個のコンテンツが配置されている。また、スクロール領域Ａの図面右端にはボタンＡ１が配置されている。ボタンＡ１は、１１位以下の検索結果（コンテンツ）が配置されたページへジャンプするためのボタンである。ユーザがボタンＡ１をクリック（タップ）、１１位以下の検索結果（コンテンツ）のページにジャンプする。
【００９１】
図１０は、ページＰが端末装置１００に表示された様子を示す図である。図１０の例ででは、スクロール領域Ａに配置された１０個のコンテンツのうち、上位の順位の５個のコンテンツが表示部１４１に表示されている。図１０の例の場合、順位が５番目のコンテンツは一部（およそ半分）が隠れた状態となっている。５番目以降のコンテンツは表示部１４１の外に完全に隠れた状態となっている。図１１は、端末装置１００がスクロール操作された様子を示す図である。スクロール領域Ａがスクロールすると、画面の外に隠れていたコンテンツが表示部１４１に表示される。
【００９２】
図８に戻り、制御部１５０は、コントローラであり、例えば、ＣＰＵ、ＭＰＵ等のプロセッサによって、端末装置１００内部の記憶装置に記憶されている各種プログラムがＲＡＭ等を作業領域として実行されることにより実現される。また、制御部１５０は、コントローラであり、例えば、ＡＳＩＣやＦＰＧＡ等の集積回路により実現されてもよい。
【００９３】
制御部１５０は、図８に示すように、表示制御部１５１を備える。制御部１５０を構成するブロック（表示制御部１５１）は制御部１５０の機能を示す機能ブロックである。この機能ブロックはソフトウェアブロックであってもよいし、ハードウェアブロックであってもよい。例えば、上述の機能ブロックが、ソフトウェア（マイクロプログラムを含む。）で実現される１つのソフトウェアモジュールであってもよいし、半導体チップ（ダイ）上の１つの回路ブロックであってもよい。勿論、各機能ブロックが１つのプロセッサ或いは１つの集積回路であってもよい。機能ブロックの構成方法は任意である。なお、制御部１５０は上述の機能ブロックとは異なる機能単位で構成されていてもよい。
【００９４】
表示制御部１５１は、コンテンツが配置されたページを画面に表示する。スクロール可能な部分はページの一部であってもよい。このとき、スクロール方向は縦方向であってもよいし、横方向であってもよい。
【００９５】
〔６．情報処理サーバの処理フロー〕
次に、図１２を参照しながら、情報処理サーバ３０が実行する処理の手順について説明する。図１２は、送信処理の一例を示すフローチャートである。情報処理サーバ３０は、電源が投入されると、送信処理を開始する。
【００９６】
まず、情報処理サーバ３０は、端末装置１００からページＰのリクエストを受信したか判別する（ステップＳ１１）。リクエストを受信していない場合（ステップＳ１１：Ｎｏ）、情報処理サーバ３０は、再度ステップＳ１１を実行する。
【００９７】
リクエストを受信している場合（ステップＳ１１：Ｙｅｓ）、情報処理サーバ３０は、コンテンツ提供サーバ２０に対し、第１の基準で順位付けされた複数のコンテンツの送信を要求する（ステップＳ１２）。そして、情報処理サーバ３０は、コンテンツ提供サーバ２０から複数のコンテンツを受信したか判別する（ステップＳ１３）。複数のコンテンツを受信していない場合（ステップＳ１３：Ｎｏ）、情報処理サーバ３０は、再度ステップＳ１３を実行する。
【００９８】
コンテンツを受信している場合（ステップＳ１３：Ｙｅｓ）、情報処理サーバ３０は、複数のコンテンツの中の所定順位までのコンテンツの中に、商品或いはサービスのカテゴリーが同じコンテンツが所定数以上含まれるか否か判別する（ステップＳ１４）。所定数以上含まれない場合（ステップＳ１４：Ｎｏ）、情報処理サーバ３０はステップＳ１６に処理を進める。所定数以上含まれる場合（ステップＳ１４：Ｙｅｓ）、情報処理サーバ３０は、コンテンツが示す商品或いはサービスのカテゴリーに基づいて、複数のコンテンツの順位を変更する（ステップＳ１５）。
【００９９】
続いて、情報処理サーバ３０は、コンテンツが示す商品或いはサービスの価格に基づいて、複数のコンテンツの順位を変更する（ステップＳ１６）。
【０１００】
続いて、情報処理サーバ３０は、複数のコンテンツの中の所定順位までのコンテンツの中に、商品或いはサービスの識別コードが同じコンテンツが所定数以上含まれるか否か判別する（ステップＳ１７）。所定数以上含まれない場合（ステップＳ１７：Ｎｏ）、情報処理サーバ３０はステップＳ１９に処理を進める。所定数以上含まれる場合（ステップＳ１７：Ｙｅｓ）、情報処理サーバ３０は、コンテンツが示す商品或いはサービスの識別コードに基づいて、複数のコンテンツの順位を変更する（ステップＳ１８）。
【０１０１】
次に、情報処理サーバ３０は、順位が変更された複数のコンテンツに基づいてページＰを生成する（ステップＳ１９）。例えば、情報処理サーバ３０は、順位が変更された複数のコンテンツの中から、最上位から順位順に設定数のコンテンツを選択し、選択したコンテンツを順位順にページＰのスクロール領域Ａに配置する。ページＰの生成が完了したら、情報処理サーバ３０は、ページＰを端末装置１００に送信する（ステップＳ２０）。
【０１０２】
ページＰの送信が完了したら、情報処理サーバ３０は、ステップＳ１１に処理を戻し、ステップＳ１１〜Ｓ２０の処理を繰り返す。
【０１０３】
〔７．変形例〕
上述の実施形態は一例を示したものであり、種々の変更及び応用が可能である。
【０１０４】
例えば、上述の実施形態では、コンテンツが配置されるページはウェブページであるものとしたが、ページはウェブページに限定されない。例えば、ページは、ユーザインタフェース画面に表示されることを目的として作成されたページであってもよい。例えば、ページは、メッセンジャーアプリケーションの画面、カメラアプリケーションの画面、ゲーム画面、音楽再生画面、動画再生画面であってもよい。また、コンテンツが配置される領域はスクロール領域Ａに限定されない。コンテンツはページＰの他の領域に配置されていてもよい。
【０１０５】
また、上述の実施形態では、情報処理サーバ３０が順位を変更する複数のコンテンツは商品或いはサービスに関するコンテンツであるものとしたが、コンテンツは商品或いはサービスに関するコンテンツに限られない。例えば、複数のコンテンツは、ゲーム、音楽、映画等のコンテンツであってもよい。コンテンツは、広告コンテンツであってもよい。
【０１０６】
また、上述の実施形態では、順位の変更処理は情報処理サーバ３０が実行するものとしたが、コンテンツ提供サーバ２０或いは端末装置１００が実行してもよい。
【０１０７】
また、上述の実施形態では、コンテンツ提供サーバ２０（順位生成部２７）が第１の基準に基づいて複数のコンテンツを順位付けするものとしたが、第１の基準に基づく順位付けは情報処理サーバ３０が実行してもよい。このとき、情報処理サーバ３０は順位生成部２７としての機能を有していてもよい。
【０１０８】
また、情報処理サーバ３０は、コンテンツの出力態様を基準に、他の順位に回すコンテンツを選択してもよい。コンテンツの出力態様とは、コンテンツが画像を表示するコンテンツか否か、コンテンツが音を出力するコンテンツか否か等の態様のことである。例えば、情報処理サーバ３０は、コンテンツが画像を含むか否かを基準に、他の順位に回すコンテンツを選択してもよい。例えば、変更部３６は、コンテンツが画像を含まず、テキスト情報のみから構成されるコンテンツを他の順位に回すコンテンツとして選択してもよい。
【０１０９】
また、上述の実施形態では、情報処理サーバ３０は、複数のコンテンツの中のカテゴリーが一致するコンテンツをカテゴリーが類似する類似コンテンツとした。しかし、カテゴリーが類似する類似コンテンツは必ずしもカテゴリーが一致するコンテンツでなくてもよい。例えば、情報処理サーバ３０は、商品が衣類のコンテンツと商品が衣類収納のコンテンツを類似コンテンツと判別してもよい。同様に、識別コードが類似する類似コンテンツは必ずしも識別コードが一致するコンテンツでなくてもよい。類似か否かの基準は、情報処理サーバ３０の運用者等が任意に設定可能である。
【０１１０】
また、上述の実施形態では、情報処理サーバ３０は、複数のコンテンツの中にある複数の類似コンテンツ（例えば、カテゴリー、価格、識別コードが類似するコンテンツ）と非類似のコンテンツを複数のコンテンツの中から選択し、選択したコンテンツを後の順位に回した。しかし、情報処理サーバ３０は非類似のコンテンツを前の順位に回してもよい。例えば、情報処理サーバ３０は、複数のコンテンツの中の設定順位までのコンテンツの中にある複数の類似コンテンツと非類似のコンテンツを設定順位までのコンテンツの中から選択し、選択したコンテンツを前の順位（例えば、先頭の順位）に回してもよい。選択したコンテンツが複数あるのであれば、選択したコンテンツが、先頭から元の順位順に並ぶように複数のコンテンツの順位を変更してもよい。
【０１１１】
また、上述の実施形態では、商品或いはサービスのカテゴリー、価格、及び識別コードを基準に３回順位の変更処理を実行した。しかしながら、順位の変更処理は３回に限定されない。情報処理サーバ３０は、３回より多くてもよいし少なくてもよい。このとき、順位の変更の基準はカテゴリー、価格、及び識別コードの３つに限定されず、他の基準が含まれていてもよい。
【０１１２】
また、情報処理サーバ３０は、商品或いはサービスのカテゴリーのみに基づいて順位の変更処理を行ってもよい。例えば、情報処理サーバ３０は、複数のコンテンツの中の設定順位までのコンテンツの中に、商品或いはサービスのカテゴリーが同じコンテンツが所定数以上含まれる場合には、設定順位までのコンテンツの中から、このカテゴリーとは異なるカテゴリーのコンテンツを選択し、選択したコンテンツの順位を他の順位に回してもよい。
【０１１３】
また、情報処理サーバ３０は、商品或いはサービスの価格のみに基づいて順位の変更処理を行ってもよい。例えば、情報処理サーバ３０は、複数のコンテンツの中の設定順位までのコンテンツが示す商品或いはサービスの価格の中央値を判別し、設定順位までのコンテンツの中から、中央値を基準に定まる価格範囲を外れたコンテンツを選択し、選択したコンテンツの順位を他の順位に回してもよい。
【０１１４】
また、情報処理サーバ３０は、商品或いはサービスの価格のみに基づいて順位の変更処理を行ってもよい。例えば、情報処理サーバ３０は、複数のコンテンツの中の設定順位までのコンテンツの中に、商品或いはサービスの識別コードが同じコンテンツが所定数以上含まれる場合には、設定順位までのコンテンツの中から、この識別コードとは異なる識別コードのコンテンツを選択し、選択したコンテンツの順位を他の順位に回してもよい。
【０１１５】
また、複数のコンテンツには、コンテンツのタイトル（以下、コンテンツタイトルという。）の情報が含まれていてもよい。コンテンツタイトルは、商品タイトル（商品名称）或いはサービスタイトル（サービス名称）を含むものであってもよい。そして、情報処理サーバ３０は、複数のコンテンツの中の所定順位までのコンテンツの中に、コンテンツタイトル中の商品或いはサービスの名称が同じコンテンツが所定数以上含まれる場合には、所定順位までのコンテンツの中から、該名称とは異なる名称のコンテンツを他の順位に回すコンテンツとして選択してもよい。例えば、情報処理サーバ３０は、ユーザが指定した検索クエリの単語群（例えば、商品名称或いはサービス名称）とコンテンツタイトルとの一致度（マッチ度）を判別する。一致度の判別方法は様々な方法を採用可能である。例えば、情報処理サーバ３０は、検索クエリの総単語数（或いは総文字数）に対する一致した単語数（或いは文字数）の割合に基づき一致度を判別してもよい。そして、情報処理サーバ３０は、一致度が所定の閾値より高いコンテンツを「名称が一致するコンテンツ」とし、一致度が所定の閾値より低いコンテンツを「名称が不一致のコンテンツ」として判別する。そして、情報処理サーバ３０は、名称が一致するコンテンツが所定数以上の場合には、名称が不一致のコンテンツを後ろに回すコンテンツとして選択する。例えば、情報処理サーバ３０は、検索クエリの単語群のうち、商品タイトルとマッチした割合（一致度）が０．７５（完全一致を１とする）以上の商品が１０件中７件以上あれば、残りの０．７５未満の商品（最大３商品）を後ろに回してもよい。
【０１１６】
また、上記実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。この他、上記文書中や図面中で示した処理手順、具体的名称、各種のデータやパラメータを含む情報については、特記する場合を除いて任意に変更することができる。例えば、各図に示した各種情報は、図示した情報に限られない。
【０１１７】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。
【０１１８】
また、上記してきた各実施形態は、処理内容を矛盾させない領域で適宜組み合わせることが可能である。
【０１１９】
また、本実施形態のコンテンツ提供サーバ２０、情報処理サーバ３０、或いは端末装置１００を制御する制御装置は、専用のコンピュータシステムによって実現してもよいし、通常のコンピュータシステムにより実現してもよい。例えば、上述の動作を実行するためのプログラムを、光ディスク、半導体メモリ、磁気テープ、フレキシブルディスク等のコンピュータ読み取り可能な記録媒体に格納して配布し、該プログラムをコンピュータにインストールし、上述の処理を実行することによって制御装置を構成してもよい。制御装置は、端末装置１００の外部の装置（例えば、パーソナルコンピュータ）であってもよいし、内部の装置（例えば、制御部２３、制御部３３、或いは制御部１５０）であってもよい。また、上記プログラムをインターネット等のネットワーク上のサーバ装置が備えるディスク装置に格納しておき、コンピュータにダウンロード等できるようにしてもよい。また、上述の機能を、ＯＳ（Operating  System）とアプリケーションソフトとの協働により実現してもよい。この場合には、ＯＳ以外の部分を媒体に格納して配布してもよいし、ＯＳ以外の部分をサーバ装置に格納しておき、コンピュータにダウンロード等できるようにしてもよい。
【０１２０】
〔８．ハードウェア構成〕
実施形態及び変形例に係るコンテンツ提供サーバ２０、情報処理サーバ３０、或いは端末装置１００は、例えば図１３に示すような構成のコンピュータ１０００によっても実現可能である。図１３は、コンテンツ提供サーバ２０、情報処理サーバ３０、或いは端末装置１００の機能を実現するコンピュータの一例を示すハードウェア構成図である。コンピュータ１０００は、ＣＰＵ（Central  Processing  Unit）１１００、ＲＡＭ１２００、ＲＯＭ１３００、ＨＤＤ（Hard  Disk  Drive）１４００、通信インタフェース（Ｉ／Ｆ）１５００、入出力インタフェース（Ｉ／Ｆ）１６００、及びメディアインタフェース（Ｉ／Ｆ）１７００を有する。
【０１２１】
ＣＰＵ１１００は、ＲＯＭ１３００またはＨＤＤ１４００に格納されたプログラムに基づいて動作し、各部の制御を行う。ＲＯＭ１３００は、コンピュータ１０００の起動時にＣＰＵ１１００によって実行されるブートプログラムや、コンピュータ１０００のハードウェアに依存するプログラム等を格納する。
【０１２２】
ＨＤＤ１４００は、ＣＰＵ１１００によって実行されるプログラム、及び、かかるプログラムによって使用されるデータ等を格納する。通信インタフェース１５００は、ネットワークＮを介して他の機器からデータを受信してＣＰＵ１１００へ送り、ＣＰＵ１１００が生成したデータをネットワークＮを介して他の機器へ送信する。
【０１２３】
ＣＰＵ１１００は、入出力インタフェース１６００を介して、ディスプレイやプリンタ等の出力装置、及び、キーボードやマウス等の入力装置を制御する。ＣＰＵ１１００は、入出力インタフェース１６００を介して、入力装置からデータを取得する。また、ＣＰＵ１１００は、生成したデータを入出力インタフェース１６００を介して出力装置へ出力する。
【０１２４】
メディアインタフェース１７００は、記録媒体１８００に格納されたプログラムまたはデータを読み取り、ＲＡＭ１２００を介してＣＰＵ１１００に提供する。ＣＰＵ１１００は、かかるプログラムを、メディアインタフェース１７００を介して記録媒体１８００からＲＡＭ１２００上にロードし、ロードしたプログラムを実行する。記録媒体１８００は、例えばＤＶＤ（Digital  Versatile  Disc）、ＰＤ（Phase  change  rewritable  Disk）等の光学記録媒体、ＭＯ（Magneto-Optical  disk）等の光磁気記録媒体、テープ媒体、磁気記録媒体、または半導体メモリ等である。
【０１２５】
例えば、コンピュータ１０００が実施形態に係るコンテンツ提供サーバ２０、情報処理サーバ３０、或いは端末装置１００として機能する場合、コンピュータ１０００のＣＰＵ１１００は、ＲＡＭ１２００上にロードされたプログラムを実行することにより、制御部２３、制御部３３、或いは制御部１５０の機能を実現する。コンピュータ１０００のＣＰＵ１１００は、これらのプログラムを記録媒体１８００から読み取って実行するが、他の例として、他の装置からネットワークＮを介してこれらのプログラムを取得してもよい。
【０１２６】
〔９．効果〕
上述したように、情報処理サーバ３０は、順位づけされた複数のコンテンツの情報を取得し、複数のコンテンツのうち、類似するコンテンツである類似コンテンツ群と非類似のコンテンツの順位を変更する。複数のコンテンツの順位がユーザにとって効果的でない場合であっても、非類似コンテンツの順位が変更されるので、コンテンツの順位はユーザにとって効果的である。
【０１２７】
また、情報処理サーバ３０は、前複数のコンテンツの中の所定順位までのコンテンツの中から、類似コンテンツ群と非類似のコンテンツを選択し、選択したコンテンツの順位を変更する。所定順位までのコンテンツの順位がユーザにとって効果的でない場合であっても、非類似コンテンツの順位が変更されるので、コンテンツの順位はユーザにとって効果的である。
【０１２８】
また、情報処理サーバ３０は、複数のコンテンツの中の所定順位までのコンテンツの中に、互いに類似するコンテンツが所定数以上含まれる場合に、所定順位までのコンテンツの中から、互いに類似するコンテンツとは非類似のコンテンツを他の順位に回すコンテンツとして選択する。所定順位までのコンテンツの順位がユーザにとって効果的でない場合であっても、非類似コンテンツの順位が変更されるので、コンテンツの順位はユーザにとって効果的である。
【０１２９】
また、情報処理サーバ３０は、選択したコンテンツが所定順位より後の順位となるよう複数のコンテンツの順位を変更する。例えば、情報処理サーバ３０は、選択したコンテンツが所定順位の一つ後の順位となるよう複数のコンテンツの順位を変更する。或いは、情報処理サーバ３０は、所定順位までのコンテンツの中からコンテンツを複数選択し、選択したコンテンツが所定順位の直後に元の順位が高い順に並ぶよう複数のコンテンツの順位を変更する。第２の基準に基づいて選択されたコンテンツの順位が後の順位に回されるので、上位の順位はユーザにとって効果的である。
【０１３０】
また、情報処理サーバ３０は、コンテンツの出力態様を基準に、他の順位に回すコンテンツを選択する。例えば、情報処理サーバ３０は、コンテンツが画像を含むか否かを基準に、他の順位に回すコンテンツを選択する。コンテンツの出力態様はユーザが商品等の選択にあたり大きな影響を与える。コンテンツの出力態様が類似するコンテンツが所定の順に並ぶので、ユーザのコンテンツの選択は容易である。
【０１３１】
また、複数のコンテンツは、商品或いはサービスに関するコンテンツであり、情報処理サーバ３０は、コンテンツが示す商品或いはサービスの情報を基準に、他の順位に回すコンテンツを選択する。例えば、情報処理サーバ３０は、商品或いはサービスのカテゴリー、価格、識別コード、ブランド、若しくは提供ストアを基準に、他の順位に回すコンテンツを選択する。これにより、情報処理サーバ３０は、順位をカテゴリー、価格、識別コード、ブランド、提供ストア等で精査したものとできる。
【０１３２】
また、情報処理サーバ３０は、複数のコンテンツの中の所定順位までのコンテンツの中に、商品或いはサービスのカテゴリーが同じコンテンツが所定数以上含まれる場合には、所定順位までのコンテンツの中から、該カテゴリーとは異なるカテゴリーのコンテンツを他の順位に回すコンテンツとして選択する。これにより、情報処理サーバ３０は、順位をカテゴリーで精査したものとできる。
【０１３３】
また、情報処理サーバ３０は、複数のコンテンツの中の所定順位までのコンテンツが示す商品或いはサービスの価格の中央値を判別し、所定順位までのコンテンツの中から、中央値を基準に定まる価格範囲を外れたコンテンツを他の順位に回すコンテンツとして選択する。これにより、情報処理サーバ３０は、順位を価格で精査したものとできる。
【０１３４】
また、情報処理サーバ３０は、複数のコンテンツの中の所定順位までのコンテンツの中に、商品或いはサービスの識別コードが同じコンテンツが所定数以上含まれる場合には、所定順位までのコンテンツの中から、該識別コードとは異なる識別コードのコンテンツを他の順位に回すコンテンツとして選択する。これにより、情報処理サーバ３０は、順位を識別コードで精査したものとできる。
【０１３５】
また、複数のコンテンツは、商品或いはサービスに関するコンテンツである。そして、情報処理サーバ３０は、複数のコンテンツの中の所定順位までのコンテンツの中に、商品或いはサービスのカテゴリーが同じコンテンツが所定数以上含まれる場合には、所定順位までのコンテンツの中から、該カテゴリーとは異なるカテゴリーのコンテンツを選択し、選択したコンテンツの順位を他の順位に回すことにより複数のコンテンツの順位を変更する。さらに、情報処理サーバ３０は、順位が変更された複数のコンテンツの中の所定順位までのコンテンツが示す商品或いはサービスの価格の中央値を判別し、所定順位までのコンテンツの中から、中央値を基準に定まる価格範囲を外れたコンテンツを選択し、選択したコンテンツの順位を他の順位に回すことにより複数のコンテンツの順位を変更する。さらに、情報処理サーバ３０は、順位が変更された複数のコンテンツの中の所定順位までのコンテンツの中に、商品或いはサービスの識別コードが同じコンテンツが所定数以上含まれる場合には、所定順位までのコンテンツの中から、該識別コードとは異なる識別コードのコンテンツを選択し、選択したコンテンツの順位を他の順位に回すことにより複数のコンテンツの順位を変更する。これにより、情報処理サーバ３０は、順位をカテゴリー、価格、及び識別コードで精査したものとできる。
【０１３６】
また、複数のコンテンツは、商品或いはサービスに関するコンテンツである。そして、情報処理サーバ３０は、複数のコンテンツの中の所定順位までのコンテンツの中に、コンテンツタイトル中の商品或いはサービスの名称が同じコンテンツが所定数以上含まれる場合には、所定順位までのコンテンツの中から、該名称とは異なる名称のコンテンツを他の順位に回すコンテンツとして選択する。これにより、情報処理サーバ３０は、順位を商品或いはサービスの名称で精査したものとできる。
【０１３７】
以上、本願の実施形態のいくつかを図面に基づいて詳細に説明したが、これらは例示であり、発明の開示の欄に記載の態様を始めとして、当業者の知識に基づいて種々の変形、改良を施した他の形態で本発明を実施することが可能である。
【０１３８】
また、上述してきた「部（section、module、unit）」は、「手段」や「回路」などに読み替えることができる。例えば、変更部は、変更手段や変更回路に読み替えることができる。
【符号の説明】
【０１３９】
１…配信システム
１０…ストア端末
２０…コンテンツ提供サーバ
２１、３１、１１０…通信部
２２、３２、１３０…記憶部
２３、３３、１５０…制御部
２４…コンテンツデータベース
２５…コンテンツ受付部
２６…要求受付部
２７…順位生成部
２８、３８…送信部
３０…情報処理サーバ
３４…受付部
３５…取得部
３６…変更部
３７…生成部
１００…端末装置
１２０…入力部
１４０…出力部
１４１…表示部
１５１…表示制御部
Ｐ…ページ
Ｃ１〜Ｃ１３…コンテンツ
Ａ…スクロール領域
【図１】
2019008344.tif 000003
【図２】
2019008344.tif 000004
【図３】
2019008344.tif 000005
【図４】
2019008344.tif 000006
【図５】
2019008344.tif 000007
【図６】
2019008344.tif 000008
【図７】
2019008344.tif 000009
【図８】
2019008344.tif 000010
【図９】
2019008344.tif 000011
【図１０】
2019008344.tif 000012
【図１１】
2019008344.tif 000013
【図１２】
2019008344.tif 000014
【図１３】
2019008344.tif 000015
【手続補正書】
【提出日】平成30年3月20日(2018.3.20)
【手続補正１】
【補正対象書類名】特許請求の範囲
【補正対象項目名】全文
【補正方法】変更
【補正の内容】
【特許請求の範囲】
【請求項１】
順位づけされた複数のコンテンツの情報を取得する取得部と、
前記複数のコンテンツの中の所定順位までのコンテンツの中から、類似するコンテンツである類似コンテンツ群とは非類似のコンテンツを選択し、選択したコンテンツが前記所定順位より後の順位となるよう前記複数のコンテンツの順位を変更する変更部と、を備える、
ことを特徴とする情報処理装置。
【請求項２】
順位づけされた複数のコンテンツの情報を取得する取得部と、
前記複数のコンテンツの中の所定順位までのコンテンツの中に、互いに類似するコンテンツが所定数以上含まれる場合に、前記所定順位までのコンテンツの中から、前記互いに類似するコンテンツとは非類似のコンテンツを他の順位に回すコンテンツとして選択し、選択したコンテンツの順位を変更する変更部と、を備える、
ことを特徴とする情報処理装置。
【請求項３】
前記複数のコンテンツは、商品或いはサービスに関するコンテンツであり、
前記変更部は、コンテンツが示す商品或いはサービスの情報を基準に、他の順位に回すコンテンツを選択する、
ことを特徴とする請求項１又は２に記載の情報処理装置。
【請求項４】
前記変更部は、商品或いはサービスのカテゴリー、価格、識別コード、ブランド、若しくは提供ストアを基準に、他の順位に回すコンテンツを選択する、
ことを特徴とする請求項３に記載の情報処理装置。
【請求項５】
順位づけされた複数のコンテンツの情報を取得する取得部と、
商品或いはサービスに関する前記複数のコンテンツの中の所定順位までのコンテンツの中に、商品或いはサービスのカテゴリーが同じコンテンツが所定数以上含まれる場合には、前記所定順位までのコンテンツの中から、該カテゴリーとは異なるカテゴリーのコンテンツを他の順位に回すコンテンツとして選択し、選択したコンテンツの順位を変更する変更部と、を備える、
ことを特徴とする情報処理装置。
【請求項６】
順位づけされた複数のコンテンツの情報を取得する取得部と、
商品或いはサービスに関する前記複数のコンテンツの中の所定順位までのコンテンツが示す商品或いはサービスの価格の中央値を判別し、前記所定順位までのコンテンツの中から、前記中央値を基準に定まる価格範囲を外れたコンテンツを他の順位に回すコンテンツとして選択し、選択したコンテンツの順位を変更する変更部と、を備える、
ことを特徴とする情報処理装置。
【請求項７】
順位づけされた複数のコンテンツの情報を取得する取得部と、
商品或いはサービスに関する前記複数のコンテンツの中の所定順位までのコンテンツの中に、商品或いはサービスの識別コードが同じコンテンツが所定数以上含まれる場合には、前記所定順位までのコンテンツの中から、該識別コードとは異なる識別コードのコンテンツを他の順位に回すコンテンツとして選択し、選択したコンテンツの順位を変更する変更部と、を備える、
ことを特徴とする情報処理装置。
【請求項８】
順位づけされた複数のコンテンツの情報を取得する取得部と、
前記複数のコンテンツのうち、類似するコンテンツである類似コンテンツ群とは非類似のコンテンツの順位を変更する変更部と、を備え、
前記複数のコンテンツは、商品或いはサービスに関するコンテンツであり、
前記変更部は、
前記複数のコンテンツの中の所定順位までのコンテンツの中に、商品或いはサービスのカテゴリーが同じコンテンツが所定数以上含まれる場合には、前記所定順位までのコンテンツの中から、該カテゴリーとは異なるカテゴリーのコンテンツを選択し、選択したコンテンツの順位を他の順位に回すことにより前記複数のコンテンツの順位を変更し、
さらに、順位が変更された複数のコンテンツの中の所定順位までのコンテンツが示す商品或いはサービスの価格の中央値を判別し、前記所定順位までのコンテンツの中から、前記中央値を基準に定まる価格範囲を外れたコンテンツを選択し、選択したコンテンツの順位を他の順位に回すことにより前記複数のコンテンツの順位を変更し、
さらに、順位が変更された複数のコンテンツの中の前記所定順位までのコンテンツの中に、商品或いはサービスの識別コードが同じコンテンツが所定数以上含まれる場合には、前記所定順位までのコンテンツの中から、該識別コードとは異なる識別コードのコンテンツを選択し、選択したコンテンツの順位を他の順位に回すことにより前記複数のコンテンツの順位を変更する、
ことを特徴とする情報処理装置。
【請求項９】
順位づけされた複数のコンテンツの情報を取得する取得部と、
商品或いはサービスに関する前記複数のコンテンツの中の所定順位までのコンテンツの中に、コンテンツタイトル中の商品或いはサービスの名称が同じコンテンツが所定数以上含まれる場合には、前記所定順位までのコンテンツの中から、該名称とは異なる名称のコンテンツを他の順位に回すコンテンツとして選択し、選択したコンテンツの順位を変更する変更部と、を備える、
ことを特徴とする情報処理装置。
【請求項１０】
前記変更部は、選択したコンテンツが前記所定順位より後の順位となるよう前記複数のコンテンツの順位を変更する、
ことを特徴とする請求項２〜９のいずれか１項に記載の情報処理装置。
【請求項１１】
前記変更部は、選択したコンテンツが前記所定順位の一つ後の順位となるよう前記複数のコンテンツの順位を変更する、
ことを特徴とする請求項１又は１０に記載の情報処理装置。
【請求項１２】
前記変更部は、前記所定順位までのコンテンツの中からコンテンツを複数選択し、選択したコンテンツが前記所定順位の直後に元の順位が高い順に並ぶよう前記複数のコンテンツの順位を変更する、
ことを特徴とする請求項１、１０又は１１に記載の情報処理装置。
【請求項１３】
順位づけされた複数のコンテンツの情報を取得する取得部と、
コンテンツの出力態様を基準に、前記複数のコンテンツの中から、他の順位に回すコンテンツを選択し、選択したコンテンツの順位を変更する変更部と、を備える、
ことを特徴とする情報処理装置。
【請求項１４】
前記変更部は、コンテンツが画像を含むか否かを基準に、他の順位に回すコンテンツを選択する、
ことを特徴とする請求項１３に記載の情報処理装置。
【請求項１５】
情報処理装置が実行する情報処理方法であって、
順位づけされた複数のコンテンツの情報を取得する取得工程と、
前記複数のコンテンツの中の所定順位までのコンテンツの中から、類似するコンテンツである類似コンテンツ群とは非類似のコンテンツを選択し、選択したコンテンツが前記所定順位より後の順位となるよう前記複数のコンテンツの順位を変更する変更工程と、を含む、
ことを特徴とする情報処理方法。
【請求項１６】
情報処理装置が実行する情報処理方法であって、
順位づけされた複数のコンテンツの情報を取得する取得工程と、
前記複数のコンテンツの中の所定順位までのコンテンツの中に、互いに類似するコンテンツが所定数以上含まれる場合に、前記所定順位までのコンテンツの中から、前記互いに類似するコンテンツとは非類似のコンテンツを他の順位に回すコンテンツとして選択し、選択したコンテンツの順位を変更する変更工程と、を含む、
ことを特徴とする情報処理方法。
【請求項１７】
情報処理装置が実行する情報処理方法であって、
順位づけされた複数のコンテンツの情報を取得する取得工程と、
商品或いはサービスに関する前記複数のコンテンツの中の所定順位までのコンテンツの中に、商品或いはサービスのカテゴリーが同じコンテンツが所定数以上含まれる場合には、前記所定順位までのコンテンツの中から、該カテゴリーとは異なるカテゴリーのコンテンツを他の順位に回すコンテンツとして選択し、選択したコンテンツの順位を変更する変更工程と、を含む、
ことを特徴とする情報処理方法。
【請求項１８】
情報処理装置が実行する情報処理方法であって、
順位づけされた複数のコンテンツの情報を取得する取得工程と、
商品或いはサービスに関する前記複数のコンテンツの中の所定順位までのコンテンツが示す商品或いはサービスの価格の中央値を判別し、前記所定順位までのコンテンツの中から、前記中央値を基準に定まる価格範囲を外れたコンテンツを他の順位に回すコンテンツとして選択し、選択したコンテンツの順位を変更する変更工程と、を含む、
ことを特徴とする情報処理方法。
【請求項１９】
情報処理装置が実行する情報処理方法であって、
順位づけされた複数のコンテンツの情報を取得する取得工程と、
商品或いはサービスに関する前記複数のコンテンツの中の所定順位までのコンテンツの中に、商品或いはサービスの識別コードが同じコンテンツが所定数以上含まれる場合には、前記所定順位までのコンテンツの中から、該識別コードとは異なる識別コードのコンテンツを他の順位に回すコンテンツとして選択し、選択したコンテンツの順位を変更する変更工程と、を含む、
ことを特徴とする情報処理方法。
【請求項２０】
情報処理装置が実行する情報処理方法であって、
順位づけされた複数のコンテンツの情報を取得する取得工程と、
前記複数のコンテンツのうち、類似するコンテンツである類似コンテンツ群とは非類似のコンテンツの順位を変更する変更工程と、を含み、
前記複数のコンテンツは、商品或いはサービスに関するコンテンツであり、
前記変更工程は、
前記複数のコンテンツの中の所定順位までのコンテンツの中に、商品或いはサービスのカテゴリーが同じコンテンツが所定数以上含まれる場合には、前記所定順位までのコンテンツの中から、該カテゴリーとは異なるカテゴリーのコンテンツを選択し、選択したコンテンツの順位を他の順位に回すことにより前記複数のコンテンツの順位を変更し、
さらに、順位が変更された複数のコンテンツの中の所定順位までのコンテンツが示す商品或いはサービスの価格の中央値を判別し、前記所定順位までのコンテンツの中から、前記中央値を基準に定まる価格範囲を外れたコンテンツを選択し、選択したコンテンツの順位を他の順位に回すことにより前記複数のコンテンツの順位を変更し、
さらに、順位が変更された複数のコンテンツの中の前記所定順位までのコンテンツの中に、商品或いはサービスの識別コードが同じコンテンツが所定数以上含まれる場合には、前記所定順位までのコンテンツの中から、該識別コードとは異なる識別コードのコンテンツを選択し、選択したコンテンツの順位を他の順位に回すことにより前記複数のコンテンツの順位を変更する、
ことを特徴とする情報処理方法。
【請求項２１】
情報処理装置が実行する情報処理方法であって、
順位づけされた複数のコンテンツの情報を取得する取得工程と、
商品或いはサービスに関する前記複数のコンテンツの中の所定順位までのコンテンツの中に、コンテンツタイトル中の商品或いはサービスの名称が同じコンテンツが所定数以上含まれる場合には、前記所定順位までのコンテンツの中から、該名称とは異なる名称のコンテンツを他の順位に回すコンテンツとして選択し、選択したコンテンツの順位を変更する変更工程と、を含む、
ことを特徴とする情報処理方法。
【請求項２２】
情報処理装置が実行する情報処理方法であって、
順位づけされた複数のコンテンツの情報を取得する取得工程と、
コンテンツの出力態様を基準に、前記複数のコンテンツの中から、他の順位に回すコンテンツを選択し、選択したコンテンツの順位を変更する変更工程と、を含む、
ことを特徴とする情報処理方法。
【請求項２３】
順位づけされた複数のコンテンツの情報を取得する取得手順と、
前記複数のコンテンツの中の所定順位までのコンテンツの中から、類似するコンテンツである類似コンテンツ群とは非類似のコンテンツを選択し、選択したコンテンツが前記所定順位より後の順位となるよう前記複数のコンテンツの順位を変更する変更手順と、
をコンピュータに実行させるための情報処理プログラム。
【請求項２４】
順位づけされた複数のコンテンツの情報を取得する取得手順と、
前記複数のコンテンツの中の所定順位までのコンテンツの中に、互いに類似するコンテンツが所定数以上含まれる場合に、前記所定順位までのコンテンツの中から、前記互いに類似するコンテンツとは非類似のコンテンツを他の順位に回すコンテンツとして選択し、選択したコンテンツの順位を変更する変更手順と、
をコンピュータに実行させるための情報処理プログラム。
【請求項２５】
順位づけされた複数のコンテンツの情報を取得する取得手順と、
商品或いはサービスに関する前記複数のコンテンツの中の所定順位までのコンテンツの中に、商品或いはサービスのカテゴリーが同じコンテンツが所定数以上含まれる場合には、前記所定順位までのコンテンツの中から、該カテゴリーとは異なるカテゴリーのコンテンツを他の順位に回すコンテンツとして選択し、選択したコンテンツの順位を変更する変更手順と、
をコンピュータに実行させるための情報処理プログラム。
【請求項２６】
順位づけされた複数のコンテンツの情報を取得する取得手順と、
商品或いはサービスに関する前記複数のコンテンツの中の所定順位までのコンテンツが示す商品或いはサービスの価格の中央値を判別し、前記所定順位までのコンテンツの中から、前記中央値を基準に定まる価格範囲を外れたコンテンツを他の順位に回すコンテンツとして選択し、選択したコンテンツの順位を変更する変更手順と、
をコンピュータに実行させるための情報処理プログラム。
【請求項２７】
順位づけされた複数のコンテンツの情報を取得する取得手順と、
商品或いはサービスに関する前記複数のコンテンツの中の所定順位までのコンテンツの中に、商品或いはサービスの識別コードが同じコンテンツが所定数以上含まれる場合には、前記所定順位までのコンテンツの中から、該識別コードとは異なる識別コードのコンテンツを他の順位に回すコンテンツとして選択し、選択したコンテンツの順位を変更する変更手順と、
をコンピュータに実行させるための情報処理プログラム。
【請求項２８】
順位づけされた複数のコンテンツの情報を取得する取得手順と、
前記複数のコンテンツのうち、類似するコンテンツである類似コンテンツ群とは非類似のコンテンツの順位を変更する変更手順と、をコンピュータに実行させ、
前記複数のコンテンツは、商品或いはサービスに関するコンテンツであり、
前記変更手順では、
前記複数のコンテンツの中の所定順位までのコンテンツの中に、商品或いはサービスのカテゴリーが同じコンテンツが所定数以上含まれる場合には、前記所定順位までのコンテンツの中から、該カテゴリーとは異なるカテゴリーのコンテンツを選択し、選択したコンテンツの順位を他の順位に回すことにより前記複数のコンテンツの順位を変更し、
さらに、順位が変更された複数のコンテンツの中の所定順位までのコンテンツが示す商品或いはサービスの価格の中央値を判別し、前記所定順位までのコンテンツの中から、前記中央値を基準に定まる価格範囲を外れたコンテンツを選択し、選択したコンテンツの順位を他の順位に回すことにより前記複数のコンテンツの順位を変更し、
さらに、順位が変更された複数のコンテンツの中の前記所定順位までのコンテンツの中に、商品或いはサービスの識別コードが同じコンテンツが所定数以上含まれる場合には、前記所定順位までのコンテンツの中から、該識別コードとは異なる識別コードのコンテンツを選択し、選択したコンテンツの順位を他の順位に回すことにより前記複数のコンテンツの順位を変更する、
情報処理プログラム。
【請求項２９】
順位づけされた複数のコンテンツの情報を取得する取得手順と、
商品或いはサービスに関する前記複数のコンテンツの中の所定順位までのコンテンツの中に、コンテンツタイトル中の商品或いはサービスの名称が同じコンテンツが所定数以上含まれる場合には、前記所定順位までのコンテンツの中から、該名称とは異なる名称のコンテンツを他の順位に回すコンテンツとして選択し、選択したコンテンツの順位を変更する変更手順と、
をコンピュータに実行させるための情報処理プログラム。
【請求項３０】
順位づけされた複数のコンテンツの情報を取得する取得手順と、
コンテンツの出力態様を基準に、前記複数のコンテンツの中から、他の順位に回すコンテンツを選択し、選択したコンテンツの順位を変更する変更手順と、
をコンピュータに実行させるための情報処理プログラム。
【手続補正書】
【提出日】平成30年8月8日(2018.8.8)
【手続補正１】
【補正対象書類名】特許請求の範囲
【補正対象項目名】全文
【補正方法】変更
【補正の内容】
【特許請求の範囲】
【請求項１】
順位づけされた複数のコンテンツの情報を取得する取得部と、
前記複数のコンテンツの中の所定順位までのコンテンツの中から、類似するコンテンツである類似コンテンツ群とは非類似のコンテンツを選択し、選択したコンテンツが前記所定順位より後の順位となるよう前記複数のコンテンツの順位を変更する変更部と、を備える、
ことを特徴とする情報処理装置。
【請求項２】
順位づけされた複数のコンテンツの情報を取得する取得部と、
前記複数のコンテンツの中の所定順位までのコンテンツの中に、互いに類似するコンテンツが所定数以上含まれる場合に、前記所定順位までのコンテンツの中から、前記互いに類似するコンテンツとは非類似のコンテンツを他の順位に回すコンテンツとして選択し、選択したコンテンツの順位を変更する変更部と、を備える、
ことを特徴とする情報処理装置。
【請求項３】
前記複数のコンテンツは、商品或いはサービスに関するコンテンツであり、
前記変更部は、コンテンツが示す商品或いはサービスの情報を基準に、他の順位に回すコンテンツを選択する、
ことを特徴とする請求項１又は２に記載の情報処理装置。
【請求項４】
前記変更部は、商品或いはサービスのカテゴリー、価格、識別コード、ブランド、若しくは提供ストアを基準に、他の順位に回すコンテンツを選択する、
ことを特徴とする請求項３に記載の情報処理装置。
【請求項５】
順位づけされた複数のコンテンツの情報を取得する取得部と、
商品或いはサービスに関する前記複数のコンテンツの中の所定順位までのコンテンツの中に、商品或いはサービスのカテゴリーが同じコンテンツが所定数以上含まれる場合には、前記所定順位までのコンテンツの中から、該カテゴリーとは異なるカテゴリーのコンテンツを他の順位に回すコンテンツとして選択し、選択したコンテンツの順位を変更する変更部と、を備える、
ことを特徴とする情報処理装置。
【請求項６】
順位づけされた複数のコンテンツの情報を取得する取得部と、
商品或いはサービスに関する前記複数のコンテンツの中の所定順位までのコンテンツが示す商品或いはサービスの価格の中央値を判別し、前記所定順位までのコンテンツの中から、前記中央値を基準に定まる価格範囲を外れたコンテンツを他の順位に回すコンテンツとして選択し、選択したコンテンツの順位を変更する変更部と、を備える、
ことを特徴とする情報処理装置。
【請求項７】
順位づけされた複数のコンテンツの情報を取得する取得部と、
商品或いはサービスに関する前記複数のコンテンツの中の所定順位までのコンテンツの中に、商品或いはサービスの識別コードが同じコンテンツが所定数以上含まれる場合には、前記所定順位までのコンテンツの中から、該識別コードとは異なる識別コードのコンテンツを他の順位に回すコンテンツとして選択し、選択したコンテンツの順位を変更する変更部と、を備える、
ことを特徴とする情報処理装置。
【請求項８】
順位づけされた複数のコンテンツの情報を取得する取得部と、
前記複数のコンテンツのうち、類似するコンテンツである類似コンテンツ群とは非類似のコンテンツの順位を変更する変更部と、を備え、
前記複数のコンテンツは、商品或いはサービスに関するコンテンツであり、
前記変更部は、
前記複数のコンテンツの中の所定順位までのコンテンツの中に、商品或いはサービスのカテゴリーが同じコンテンツが所定数以上含まれる場合には、前記所定順位までのコンテンツの中から、該カテゴリーとは異なるカテゴリーのコンテンツを選択し、選択したコンテンツの順位を他の順位に回すことにより前記複数のコンテンツの順位を変更し、
さらに、順位が変更された複数のコンテンツの中の所定順位までのコンテンツが示す商品或いはサービスの価格の中央値を判別し、前記所定順位までのコンテンツの中から、前記中央値を基準に定まる価格範囲を外れたコンテンツを選択し、選択したコンテンツの順位を他の順位に回すことにより前記複数のコンテンツの順位を変更し、
さらに、順位が変更された複数のコンテンツの中の前記所定順位までのコンテンツの中に、商品或いはサービスの識別コードが同じコンテンツが所定数以上含まれる場合には、前記所定順位までのコンテンツの中から、該識別コードとは異なる識別コードのコンテンツを選択し、選択したコンテンツの順位を他の順位に回すことにより前記複数のコンテンツの順位を変更する、
ことを特徴とする情報処理装置。
【請求項９】
順位づけされた複数のコンテンツの情報を取得する取得部と、
商品或いはサービスに関する前記複数のコンテンツの中の所定順位までのコンテンツの中に、コンテンツタイトル中の商品或いはサービスの名称が同じコンテンツが所定数以上含まれる場合には、前記所定順位までのコンテンツの中から、該名称とは異なる名称のコンテンツを他の順位に回すコンテンツとして選択し、選択したコンテンツの順位を変更する変更部と、を備える、
ことを特徴とする情報処理装置。
【請求項１０】
前記変更部は、選択したコンテンツが前記所定順位より後の順位となるよう前記複数のコンテンツの順位を変更する、
ことを特徴とする請求項２〜９のいずれか１項に記載の情報処理装置。
【請求項１１】
前記変更部は、選択したコンテンツが前記所定順位の一つ後の順位となるよう前記複数のコンテンツの順位を変更する、
ことを特徴とする請求項１又は１０に記載の情報処理装置。
【請求項１２】
前記変更部は、前記所定順位までのコンテンツの中からコンテンツを複数選択し、選択したコンテンツが前記所定順位の直後に元の順位が高い順に並ぶよう前記複数のコンテンツの順位を変更する、
ことを特徴とする請求項１、１０又は１１に記載の情報処理装置。
【請求項１３】
情報処理装置が実行する情報処理方法であって、
順位づけされた複数のコンテンツの情報を取得する取得工程と、
前記複数のコンテンツの中の所定順位までのコンテンツの中から、類似するコンテンツである類似コンテンツ群とは非類似のコンテンツを選択し、選択したコンテンツが前記所定順位より後の順位となるよう前記複数のコンテンツの順位を変更する変更工程と、を含む、
ことを特徴とする情報処理方法。
【請求項１４】
情報処理装置が実行する情報処理方法であって、
順位づけされた複数のコンテンツの情報を取得する取得工程と、
前記複数のコンテンツの中の所定順位までのコンテンツの中に、互いに類似するコンテンツが所定数以上含まれる場合に、前記所定順位までのコンテンツの中から、前記互いに類似するコンテンツとは非類似のコンテンツを他の順位に回すコンテンツとして選択し、選択したコンテンツの順位を変更する変更工程と、を含む、
ことを特徴とする情報処理方法。
【請求項１５】
情報処理装置が実行する情報処理方法であって、
順位づけされた複数のコンテンツの情報を取得する取得工程と、
商品或いはサービスに関する前記複数のコンテンツの中の所定順位までのコンテンツの中に、商品或いはサービスのカテゴリーが同じコンテンツが所定数以上含まれる場合には、前記所定順位までのコンテンツの中から、該カテゴリーとは異なるカテゴリーのコンテンツを他の順位に回すコンテンツとして選択し、選択したコンテンツの順位を変更する変更工程と、を含む、
ことを特徴とする情報処理方法。
【請求項１６】
情報処理装置が実行する情報処理方法であって、
順位づけされた複数のコンテンツの情報を取得する取得工程と、
商品或いはサービスに関する前記複数のコンテンツの中の所定順位までのコンテンツが示す商品或いはサービスの価格の中央値を判別し、前記所定順位までのコンテンツの中から、前記中央値を基準に定まる価格範囲を外れたコンテンツを他の順位に回すコンテンツとして選択し、選択したコンテンツの順位を変更する変更工程と、を含む、
ことを特徴とする情報処理方法。
【請求項１７】
情報処理装置が実行する情報処理方法であって、
順位づけされた複数のコンテンツの情報を取得する取得工程と、
商品或いはサービスに関する前記複数のコンテンツの中の所定順位までのコンテンツの中に、商品或いはサービスの識別コードが同じコンテンツが所定数以上含まれる場合には、前記所定順位までのコンテンツの中から、該識別コードとは異なる識別コードのコンテンツを他の順位に回すコンテンツとして選択し、選択したコンテンツの順位を変更する変更工程と、を含む、
ことを特徴とする情報処理方法。
【請求項１８】
情報処理装置が実行する情報処理方法であって、
順位づけされた複数のコンテンツの情報を取得する取得工程と、
前記複数のコンテンツのうち、類似するコンテンツである類似コンテンツ群とは非類似のコンテンツの順位を変更する変更工程と、を含み、
前記複数のコンテンツは、商品或いはサービスに関するコンテンツであり、
前記変更工程は、
前記複数のコンテンツの中の所定順位までのコンテンツの中に、商品或いはサービスのカテゴリーが同じコンテンツが所定数以上含まれる場合には、前記所定順位までのコンテンツの中から、該カテゴリーとは異なるカテゴリーのコンテンツを選択し、選択したコンテンツの順位を他の順位に回すことにより前記複数のコンテンツの順位を変更し、
さらに、順位が変更された複数のコンテンツの中の所定順位までのコンテンツが示す商品或いはサービスの価格の中央値を判別し、前記所定順位までのコンテンツの中から、前記中央値を基準に定まる価格範囲を外れたコンテンツを選択し、選択したコンテンツの順位を他の順位に回すことにより前記複数のコンテンツの順位を変更し、
さらに、順位が変更された複数のコンテンツの中の前記所定順位までのコンテンツの中に、商品或いはサービスの識別コードが同じコンテンツが所定数以上含まれる場合には、前記所定順位までのコンテンツの中から、該識別コードとは異なる識別コードのコンテンツを選択し、選択したコンテンツの順位を他の順位に回すことにより前記複数のコンテンツの順位を変更する、
ことを特徴とする情報処理方法。
【請求項１９】
情報処理装置が実行する情報処理方法であって、
順位づけされた複数のコンテンツの情報を取得する取得工程と、
商品或いはサービスに関する前記複数のコンテンツの中の所定順位までのコンテンツの中に、コンテンツタイトル中の商品或いはサービスの名称が同じコンテンツが所定数以上含まれる場合には、前記所定順位までのコンテンツの中から、該名称とは異なる名称のコンテンツを他の順位に回すコンテンツとして選択し、選択したコンテンツの順位を変更する変更工程と、を含む、
ことを特徴とする情報処理方法。
【請求項２０】
順位づけされた複数のコンテンツの情報を取得する取得手順と、
前記複数のコンテンツの中の所定順位までのコンテンツの中から、類似するコンテンツである類似コンテンツ群とは非類似のコンテンツを選択し、選択したコンテンツが前記所定順位より後の順位となるよう前記複数のコンテンツの順位を変更する変更手順と、
をコンピュータに実行させるための情報処理プログラム。
【請求項２１】
順位づけされた複数のコンテンツの情報を取得する取得手順と、
前記複数のコンテンツの中の所定順位までのコンテンツの中に、互いに類似するコンテンツが所定数以上含まれる場合に、前記所定順位までのコンテンツの中から、前記互いに類似するコンテンツとは非類似のコンテンツを他の順位に回すコンテンツとして選択し、選択したコンテンツの順位を変更する変更手順と、
をコンピュータに実行させるための情報処理プログラム。
【請求項２２】
順位づけされた複数のコンテンツの情報を取得する取得手順と、
商品或いはサービスに関する前記複数のコンテンツの中の所定順位までのコンテンツの中に、商品或いはサービスのカテゴリーが同じコンテンツが所定数以上含まれる場合には、前記所定順位までのコンテンツの中から、該カテゴリーとは異なるカテゴリーのコンテンツを他の順位に回すコンテンツとして選択し、選択したコンテンツの順位を変更する変更手順と、
をコンピュータに実行させるための情報処理プログラム。
【請求項２３】
順位づけされた複数のコンテンツの情報を取得する取得手順と、
商品或いはサービスに関する前記複数のコンテンツの中の所定順位までのコンテンツが示す商品或いはサービスの価格の中央値を判別し、前記所定順位までのコンテンツの中から、前記中央値を基準に定まる価格範囲を外れたコンテンツを他の順位に回すコンテンツとして選択し、選択したコンテンツの順位を変更する変更手順と、
をコンピュータに実行させるための情報処理プログラム。
【請求項２４】
順位づけされた複数のコンテンツの情報を取得する取得手順と、
商品或いはサービスに関する前記複数のコンテンツの中の所定順位までのコンテンツの中に、商品或いはサービスの識別コードが同じコンテンツが所定数以上含まれる場合には、前記所定順位までのコンテンツの中から、該識別コードとは異なる識別コードのコンテンツを他の順位に回すコンテンツとして選択し、選択したコンテンツの順位を変更する変更手順と、
をコンピュータに実行させるための情報処理プログラム。
【請求項２５】
順位づけされた複数のコンテンツの情報を取得する取得手順と、
前記複数のコンテンツのうち、類似するコンテンツである類似コンテンツ群とは非類似のコンテンツの順位を変更する変更手順と、をコンピュータに実行させ、
前記複数のコンテンツは、商品或いはサービスに関するコンテンツであり、
前記変更手順では、
前記複数のコンテンツの中の所定順位までのコンテンツの中に、商品或いはサービスのカテゴリーが同じコンテンツが所定数以上含まれる場合には、前記所定順位までのコンテンツの中から、該カテゴリーとは異なるカテゴリーのコンテンツを選択し、選択したコンテンツの順位を他の順位に回すことにより前記複数のコンテンツの順位を変更し、
さらに、順位が変更された複数のコンテンツの中の所定順位までのコンテンツが示す商品或いはサービスの価格の中央値を判別し、前記所定順位までのコンテンツの中から、前記中央値を基準に定まる価格範囲を外れたコンテンツを選択し、選択したコンテンツの順位を他の順位に回すことにより前記複数のコンテンツの順位を変更し、
さらに、順位が変更された複数のコンテンツの中の前記所定順位までのコンテンツの中に、商品或いはサービスの識別コードが同じコンテンツが所定数以上含まれる場合には、前記所定順位までのコンテンツの中から、該識別コードとは異なる識別コードのコンテンツを選択し、選択したコンテンツの順位を他の順位に回すことにより前記複数のコンテンツの順位を変更する、
情報処理プログラム。
【請求項２６】
順位づけされた複数のコンテンツの情報を取得する取得手順と、
商品或いはサービスに関する前記複数のコンテンツの中の所定順位までのコンテンツの中に、コンテンツタイトル中の商品或いはサービスの名称が同じコンテンツが所定数以上含まれる場合には、前記所定順位までのコンテンツの中から、該名称とは異なる名称のコンテンツを他の順位に回すコンテンツとして選択し、選択したコンテンツの順位を変更する変更手順と、
をコンピュータに実行させるための情報処理プログラム。